(57)【要約】【課題】小束紙葉類をさらに厳正に管理することができる紙葉類管理装置および紙葉類管理方法を提供する。【解決手段】開閉可能な開閉部を有し、開閉部が開状態にあるとき、所定枚数の紙葉類を帯状体で結束してなる小束紙葉類を受け入れおよび取り出し可能となる紙葉類管理装置であって、開閉部が開閉されると、収納状態にある小束紙葉類の厚みを検出する検出手段（Ｓａ１）と、検出手段の検出結果に基づいて小束紙葉類に異常があるか否かを判定する判定手段（Ｓａ２，Ｓａ８〜Ｓａ１０）と、を有する。【選択図】図９
2018032212.tif 000002
【特許請求の範囲】
【請求項１】
開閉可能な開閉部を有し、該開閉部が開状態にあるとき、所定枚数の紙葉類を帯状体で結束してなる小束紙葉類を受け入れおよび取り出し可能となる紙葉類管理装置であって、
前記開閉部が開閉されると、収納状態にある前記小束紙葉類の厚みを検出する検出手段と、
該検出手段の検出結果に基づいて前記小束紙葉類に異常があるか否かを判定する判定手段と、
を有することを特徴とする紙葉類管理装置。
【請求項２】
前記検出手段は、前記小束紙葉類の束数と、該束数分の前記小束紙葉類の全束厚みとを検出することになり、
前記判定手段は、前記全束厚みが前記束数に基づく許容範囲内になければ、前記小束紙葉類に異常があると判定することを特徴とする請求項１記載の紙葉類管理装置。
【請求項３】
前記検出手段は、前記小束紙葉類の束数と、該束数分の前記小束紙葉類の全束厚みとを検出することになり、
前記判定手段は、前記開閉部の開閉の前後で前記束数に変化がなく且つ前記前後での前記全束厚みの変化量が許容範囲内になければ、前記小束紙葉類に異常があると判定することを特徴とする請求項１または２記載の紙葉類管理装置。
【請求項４】
前記検出手段は、前記小束紙葉類の厚みを前記帯状体の前記厚み方向の長さで検出することになり、
前記判定手段は、前記帯状体の前記厚み方向の長さが許容範囲内になければ、前記小束紙葉類に異常があると判定することを特徴とする請求項１乃至３のいずれか一項記載の紙葉類管理装置。
【請求項５】
前記検出手段は、前記小束紙葉類の厚みを前記帯状体の前記厚み方向の長さで検出することになり、
前記判定手段は、前記開閉部の開閉の前後での前記帯状体の前記厚み方向の長さの変化量が許容範囲内になければ、前記小束紙葉類に異常があると判定することを特徴とする請求項１乃至４のいずれか一項記載の紙葉類管理装置。
【請求項６】
前記許容範囲の設定を変更する許容範囲設定手段を有することを特徴とする請求項２乃至５のいずれか一項記載の紙葉類管理装置。
【請求項７】
前記判定手段による前記小束紙葉類に異常があるか否かの判定の有無の設定を変更する判定有無設定手段を有することを特徴とする請求項１乃至６のいずれか一項記載の紙葉類管理装置。
【請求項８】
前記小束紙葉類が、所定束数の小束紙葉類を帯状体で結束してなる大束を構成するものであるか否かを判断する束状態判断手段を有し、
前記判定手段は、前記束状態判断手段の判断結果に基づいて前記小束紙葉類に異常があるか否かの判定の有無の設定を変更することを特徴とする請求項１乃至７のいずれか一項記載の紙葉類管理装置。
【請求項９】
前記開閉部は、本体から引き出されて開状態となり、本体に押し込まれて閉状態となる上方開口のドロアであって、前記本体に対する移動方向に厚み方向を沿わせて前記小束紙葉類が収納されることになり、
前記検出手段は、前記ドロアの前記本体に対する移動によって前記小束紙葉類の厚みを検出することを特徴とする請求項１乃至８のいずれか一項記載の紙葉類管理装置。
【請求項１０】
開閉可能な開閉部を有し、該開閉部が開状態にあるとき、所定枚数の紙葉類を帯状体で結束してなる小束紙葉類を受け入れおよび取り出し可能となる紙葉類管理装置を用いた紙葉類管理方法であって、
前記開閉部が開閉されると、収納状態にある前記小束紙葉類の厚みを検出する検出工程と、
該検出工程での検出結果に基づいて前記小束紙葉類に異常があるか否かを判定する判定工程と、
を含むことを特徴とする紙葉類管理方法。
【請求項１１】
前記検出工程では、前記小束紙葉類の束数と、該束数分の前記小束紙葉類の全束厚みとを検出することになり、
前記判定工程では、前記全束厚みが前記束数に基づく許容範囲内になければ、前記小束紙葉類に異常があると判定することを特徴とする請求項１０記載の紙葉類管理方法。
【請求項１２】
前記検出工程では、前記小束紙葉類の束数と、該束数分の前記小束紙葉類の全束厚みとを検出することになり、
前記判定工程では、前記開閉部の開閉の前後で前記束数に変化がなく且つ前記前後での前記全束厚みの変化量が許容範囲内になければ、前記小束紙葉類に異常があると判定することを特徴とする請求項１０または１１記載の紙葉類管理方法。
【請求項１３】
前記検出工程では、前記小束紙葉類の厚みを前記帯状体の前記厚み方向の長さで検出することになり、
前記判定工程では、前記帯状体の前記厚み方向の長さが許容範囲内になければ、前記小束紙葉類に異常があると判定することを特徴とする請求項１０乃至１２のいずれか一項記載の紙葉類管理方法。
【請求項１４】
前記検出工程では、前記小束紙葉類の厚みを前記帯状体の前記厚み方向の長さで検出することになり、
前記判定工程では、前記開閉部の開閉の前後での前記帯状体の前記厚み方向の長さの変化量が許容範囲内になければ、前記小束紙葉類に異常があると判定することを特徴とする請求項１０乃至１３のいずれか一項記載の紙葉類管理方法。
【請求項１５】
前記許容範囲の設定を変更する許容範囲設定工程を含むことを特徴とする請求項１１乃至１４のいずれか一項記載の紙葉類管理方法。
【請求項１６】
前記判定工程での前記小束紙葉類に異常があるか否かの判定の有無の設定を変更する判定有無設定工程を含むことを特徴とする請求項１０乃至１５のいずれか一項記載の紙葉類管理方法。
【請求項１７】
前記小束紙葉類が、所定束数の小束紙葉類を帯状体で結束してなる大束を構成するものであるか否かを判断する束状態判断工程を含み、
前記束状態判断工程での判断結果に基づいて、前記判定工程の実行の有無の設定を変更することを特徴とする請求項１０乃至１６のいずれか一項記載の紙葉類管理方法。
【請求項１８】
前記開閉部は、本体から引き出されて開状態となり、本体に押し込まれて閉状態となる上方開口のドロアであって、前記本体に対する移動方向に厚み方向を沿わせて前記小束紙葉類が収納されることになり、
前記検出工程では、前記ドロアの前記本体に対する移動によって前記小束紙葉類の厚みを検出することを特徴とする請求項１０乃至１７のいずれか一項記載の紙葉類管理方法。
【発明の詳細な説明】
【技術分野】
【０００１】
本発明は、紙葉類の管理に用いられる紙葉類管理装置および紙葉類管理方法に関する。
【背景技術】
【０００２】
小束紙幣および棒金（包装硬貨）を収納し管理する現金管理装置がある（例えば特許文献１参照）。この現金管理装置は、現金管理装置本体に対して引き出し可能な複数段の収納庫を有しており、収納庫には、小束紙幣を収納する複数の小束トレイや棒金を収納する複数の棒金トレイが配置されている。この現金管理装置は、小束トレイに収納している小束紙幣および棒金トレイに収納している棒金の有無や金種を検知して収納庫内の貨幣類の在高を管理するようになっている。
【先行技術文献】
【特許文献】
【０００３】
【特許文献１】特許第５４９２７０３号公報
【発明の概要】
【発明が解決しようとする課題】
【０００４】
ところで、上記のような現金管理装置を含む紙葉類管理装置において、小束紙葉類から紙葉類が抜き取られる可能性がある。そこで、小束紙葉類をさらに厳正に管理することが望まれている。
【０００５】
本発明は、このような事情を鑑みてなされたものであり、小束紙葉類をさらに厳正に管理することができる紙葉類管理装置および紙葉類管理方法を提供することにある。
【課題を解決するための手段】
【０００６】
上記目的を達成するために、本発明に係る第１の態様は、開閉可能な開閉部を有し、該開閉部が開状態にあるとき、所定枚数の紙葉類を帯状体で結束してなる小束紙葉類を受け入れおよび取り出し可能となる紙葉類管理装置であって、前記開閉部が開閉されると、収納状態にある前記小束紙葉類の厚みを検出する検出手段と、該検出手段の検出結果に基づいて前記小束紙葉類に異常があるか否かを判定する判定手段と、を有することを特徴とする。
【０００７】
上記第１の態様によれば、開閉部が開閉されると、検出手段が、収納状態にある小束紙葉類の厚みを検出することになり、判定手段が、この検出手段の検出結果に基づいて小束紙葉類に異常があるか否かを判定することになる。よって、小束紙葉類の厚みに基づいて小束紙葉類に異常があるか否かを判定することができる。
【０００８】
本発明に係る第２の態様は、上記第１の態様において、前記検出手段は、前記小束紙葉類の束数と、該束数分の前記小束紙葉類の全束厚みとを検出することになり、前記判定手段は、前記全束厚みが前記束数に基づく許容範囲内になければ、前記小束紙葉類に異常があると判定することを特徴とする。
【０００９】
上記第２の態様によれば、開閉部が開閉されると、検出手段が、収納状態にある小束紙葉類の束数と、この束数分の小束紙葉類の全束厚みとを検出することになり、判定手段は、この束数分の全束厚みが、この束数に基づく許容範囲内になければ、小束紙葉類に異常があると判定することになる。よって、小束紙葉類の束数分の全束厚みに基づいて小束紙葉類に異常があるか否かを判定することができる。
【００１０】
本発明に係る第３の態様は、上記第１または第２の態様において、前記検出手段は、前記小束紙葉類の束数と、該束数分の前記小束紙葉類の全束厚みとを検出することになり、前記判定手段は、前記開閉部の開閉の前後で前記束数に変化がなく且つ前記前後での前記全束厚みの変化量が許容範囲内になければ、前記小束紙葉類に異常があると判定することを特徴とする。
【００１１】
上記第３の態様によれば、開閉部が開閉されると、検出手段が、収納状態にある小束紙葉類の束数と、この束数分の小束紙葉類の全束厚みとを検出することになり、判定手段が、この開閉部の開閉の前後で束数に変化がなく且つこの開閉部の開閉の前後での小束紙葉類の全束厚みの変化量が許容範囲内になければ、小束紙葉類に異常があると判定することになる。よって、小束紙葉類の束数分の全束厚みの、開閉部の開閉の前と後との変化に基づいて小束紙葉類に異常があるか否かを判定することができる。
【００１２】
本発明に係る第４の態様は、上記第１乃至第３のいずれか一態様において、前記検出手段は、前記小束紙葉類の厚みを前記帯状体の前記厚み方向の長さで検出することになり、前記判定手段は、前記帯状体の前記厚み方向の長さが許容範囲内になければ、前記小束紙葉類に異常があると判定することを特徴とする。
【００１３】
上記第４の態様によれば、開閉部が開閉されると、検出手段が、収納状態にある小束紙葉類の厚みを帯状体の前記厚み方向の長さで検出することになり、判定手段が、帯状体の前記厚み方向の長さが許容範囲内になければ、小束紙葉類に異常があると判定することになる。よって、小束紙葉類の厚みに相当する、この厚み方向の帯状体の長さに基づいて、小束紙葉類に異常があるか否かを判定することができる。
【００１４】
本発明に係る第５の態様は、上記第１乃至第４のいずれか一態様において、前記検出手段は、前記小束紙葉類の厚みを前記帯状体の前記厚み方向の長さで検出することになり、前記判定手段は、前記開閉部の開閉の前後での前記帯状体の前記厚み方向の長さの変化量が許容範囲内になければ、前記小束紙葉類に異常があると判定することを特徴とする。
【００１５】
上記第５の態様によれば、開閉部が開閉されると、検出手段が、収納状態にある小束紙葉類の厚みを帯状体の前記厚み方向の長さで検出することになり、判定手段が、開閉部の開閉の前後での帯状体の前記厚み方向の長さの変化量が許容範囲内になければ、小束紙葉類に異常があると判定することになる。よって、開閉部の開閉の前後での小束紙葉類の厚みの変化に相当する、この厚み方向の帯状体の長さの変化に基づいて小束紙葉類に異常があるか否かを判定することができる。
【００１６】
本発明に係る第６の態様は、上記第２乃至第５のいずれか一態様において、前記許容範囲の設定を変更する許容範囲設定手段を有することを特徴とする。
【００１７】
上記第６の態様によれば、許容範囲設定手段によって許容範囲の設定を変更することができる。
【００１８】
本発明に係る第７の態様は、上記第１乃至第６のいずれか一態様において、前記判定手段による前記小束紙葉類に異常があるか否かの判定の有無の設定を変更する判定有無設定手段を有することを特徴とする。
【００１９】
上記第７の態様によれば、判定有無設定手段によって、判定手段による小束紙葉類に異常があるか否かの判定の有無の設定を変更することができるため、小束紙葉類に異常があるか否かの判定を行う設定としたり、小束紙葉類に異常があるか否かの判定を行わない設定としたりすることができる。
【００２０】
本発明に係る第８の態様は、上記第１乃至第７のいずれか一態様において、前記小束紙葉類が、所定束数の小束紙葉類を帯状体で結束してなる大束を構成するものであるか否かを判断する束状態判断手段を有し、前記判定手段は、前記束状態判断手段の判断結果に基づいて前記小束紙葉類に異常があるか否かの判定の有無の設定を変更することを特徴とする。
【００２１】
上記第８の態様によれば、小束紙葉類が、所定束数の小束紙葉類を帯状体で結束してなる大束を構成するものであるか否かを束状態判断手段が判断すると、この判断結果に基づいて、判定手段が、小束紙葉類に異常があるか否かの判定の有無の設定を変更する。これにより、小束紙葉類が大束を構成するものであるか否かで小束紙葉類に異常があるか否かの判定の有無の設定を自動的に変更することができる。
【００２２】
本発明に係る第９の態様は、上記第１乃至第８のいずれか一態様において、前記開閉部は、本体から引き出されて開状態となり、本体に押し込まれて閉状態となる上方開口のドロアであって、前記本体に対する移動方向に厚み方向を沿わせて前記小束紙葉類が収納されることになり、前記検出手段は、前記ドロアの前記本体に対する移動によって前記小束紙葉類の厚みを検出することを特徴とする。
【００２３】
上記第９の態様によれば、ドロアには、本体に対する移動方向に厚み方向を沿わせて小束紙葉類が収納されることになるため、検出手段が、ドロアの本体に対する移動を利用して小束紙葉類の厚みを容易且つ正確に検出することができる。
【００２４】
本発明に係る第１０の態様は、開閉可能な開閉部を有し、該開閉部が開状態にあるとき、所定枚数の紙葉類を帯状体で結束してなる小束紙葉類を受け入れおよび取り出し可能となる紙葉類管理装置を用いた紙葉類管理方法であって、前記開閉部が開閉されると、収納状態にある前記小束紙葉類の厚みを検出する検出工程と、該検出工程での検出結果に基づいて前記小束紙葉類に異常があるか否かを判定する判定工程と、を含むことを特徴とする。
【００２５】
上記第１０の態様によれば、開閉部が開閉されると、検出工程で、収納状態にある小束紙葉類の厚みを検出し、判定工程では、この検出工程での検出結果に基づいて小束紙葉類に異常があるか否かを判定することになる。よって、小束紙葉類の厚みに基づいて小束紙葉類に異常があるか否かを判定することができる。
【００２６】
本発明に係る第１１の態様は、上記第１０の態様において、前記検出工程では、前記小束紙葉類の束数と、該束数分の前記小束紙葉類の全束厚みとを検出することになり、前記判定工程では、前記全束厚みが前記束数に基づく許容範囲内になければ、前記小束紙葉類に異常があると判定することを特徴とする。
【００２７】
上記第１１の態様によれば、開閉部が開閉されると、検出工程で、収納状態にある小束紙葉類の束数と、この束数分の小束紙葉類の全束厚みとを検出し、判定工程では、この束数分の全束厚みが、この束数に基づく許容範囲内になければ、小束紙葉類に異常があると判定することになる。よって、小束紙葉類の束数分の全束厚みに基づいて小束紙葉類に異常があるか否かを判定することができる。
【００２８】
本発明に係る第１２の態様は、上記第１０または第１１の態様において、前記検出工程では、前記小束紙葉類の束数と、該束数分の前記小束紙葉類の全束厚みとを検出することになり、前記判定工程では、前記開閉部の開閉の前後で前記束数に変化がなく且つ前記前後での前記全束厚みの変化量が許容範囲内になければ、前記小束紙葉類に異常があると判定することを特徴とする。
【００２９】
上記第１２の態様によれば、開閉部が開閉されると、検出工程で、収納状態にある小束紙葉類の束数と、この束数分の小束紙葉類の全束厚みとを検出し、判定工程では、この開閉部の開閉の前後で束数に変化がなく且つこの開閉部の開閉の前後でのこの束数分の小束紙葉類の全束厚みの変化量が許容範囲内になければ、小束紙葉類に異常があると判定することになる。よって、開閉部の開閉の前後での小束紙葉類の束数分の全束厚みの変化に基づいて小束紙葉類に異常があるか否かを判定することができる。
【００３０】
本発明に係る第１３の態様は、上記第１０乃至第１２のいずれか一態様において、前記検出工程では、前記小束紙葉類の厚みを前記帯状体の前記厚み方向の長さで検出することになり、前記判定工程では、前記帯状体の前記厚み方向の長さが許容範囲内になければ、前記小束紙葉類に異常があると判定することを特徴とする。
【００３１】
上記第１３の態様によれば、開閉部が開閉されると、検出工程で、収納状態にある小束紙葉類の厚みを帯状体の前記厚み方向の長さで検出することになり、判定工程では、帯状体の前記厚み方向の長さが許容範囲内になければ、小束紙葉類に異常があると判定することになる。よって、小束紙葉類の厚みに相当する、この厚み方向の帯状体の長さに基づいて小束紙葉類に異常があるか否かを判定することができる。
【００３２】
本発明に係る第１４の態様は、上記第１０乃至第１３のいずれか一態様において、前記検出工程では、前記小束紙葉類の厚みを前記帯状体の前記厚み方向の長さで検出することになり、前記判定工程では、前記開閉部の開閉の前後での前記帯状体の前記厚み方向の長さの変化量が許容範囲内になければ、前記小束紙葉類に異常があると判定することを特徴とする。
【００３３】
上記第１４の態様によれば、開閉部が開閉されると、検出工程で、収納状態にある小束紙葉類の厚みを帯状体の前記厚み方向の長さで検出することになり、判定工程では、開閉部の開閉の前後での帯状体の前記厚み方向の長さの変化量が許容範囲内になければ、小束紙葉類に異常があると判定することになる。よって、開閉部の開閉の前後での小束紙葉類の厚みの変化に相当する、この厚み方向の帯状体の長さの変化に基づいて小束紙葉類に異常があるか否かを判定することができる。
【００３４】
本発明に係る第１５の態様は、上記第１１乃至第１４のいずれか一態様において、前記許容範囲の設定を変更する許容範囲設定工程を含むことを特徴とする。
【００３５】
上記第１５の態様によれば、許容範囲設定工程にて許容範囲の設定を変更することができる。
【００３６】
本発明に係る第１６の態様は、上記第１０乃至第１５のいずれか一態様において、前記判定工程での前記小束紙葉類に異常があるか否かの判定の有無の設定を変更する判定有無設定工程を含むことを特徴とする。
【００３７】
上記第１６の態様によれば、判定有無設定工程にて、判定工程の実行の有無の設定を変更することができるため、小束紙葉類に異常があるか否かの判定を行ったり、小束紙葉類に異常があるか否かの判定を行わなかったりすることができる。
【００３８】
本発明に係る第１７の態様は、上記第１０乃至第１６のいずれか一態様において、前記小束紙葉類が、所定束数の小束紙葉類を帯状体で結束してなる大束を構成するものであるか否かを判断する束状態判断工程を含み、前記束状態判断工程での判断結果に基づいて、前記判定工程の実行の有無の設定を変更することを特徴とする。
【００３９】
上記第１７の態様によれば、束状態判断工程で、小束紙葉類が、所定束数の小束紙葉類を帯状体で結束してなる大束を構成するものであるか否かを判断すると、この判断結果に基づいて、判定工程の実行の有無の設定を変更する。これにより、小束紙葉類が大束を構成するものであるか否かで小束紙葉類に異常があるか否かの判定工程の実行の有無の設定を自動的に変更することができる。
【００４０】
本発明に係る第１８の態様は、上記第１０乃至第１７のいずれか一態様において、前記開閉部は、本体から引き出されて開状態となり、本体に押し込まれて閉状態となる上方開口のドロアであって、前記本体に対する移動方向に厚み方向を沿わせて前記小束紙葉類が収納されることになり、前記検出工程では、前記ドロアの前記本体に対する移動によって前記小束紙葉類の厚みを検出することを特徴とする。
【００４１】
上記第１８の態様によれば、ドロアには、本体に対する移動方向に厚み方向を沿わせて小束紙葉類が収納されることになるため、検出工程では、ドロアの本体に対する移動を利用して小束紙葉類の厚みを容易且つ正確に検出することができる。
【発明の効果】
【００４２】
本発明によれば、小束紙葉類をさらに厳正に管理することができる紙葉類管理装置および紙葉類管理方法を提供することができる。
【図面の簡単な説明】
【００４３】
【図１】本発明に係る紙葉類管理装置の第１実施形態としての現金管理装置を示す斜視図である。
【図２】本発明に係る紙葉類管理装置の第１実施形態としての現金管理装置の制御系ブロック図である。
【図３】本発明に係る紙葉類管理装置の第１実施形態としての現金管理装置の小束収納ドロアを示す斜視図である。
【図４】本発明に係る紙葉類管理装置の第１実施形態としての現金管理装置の小束収納ドロア近傍を示す部分斜視図である。
【図５】本発明に係る紙葉類管理装置の第１実施形態としての現金管理装置の小束収納ドロアを示す平面図であって、（Ａ）は現金管理装置本体に配置される小束セット検知センサとの対応関係を示すもの、（Ｂ）は現金管理装置本体に配置される左端検出ラインセンサ、左側帯検出ラインセンサ、右側帯検出ラインセンサおよび右端検出ラインセンサとの対応関係を示すものである。
【図６】本発明に係る紙葉類管理装置の第１実施形態としての現金管理装置の各センサの配置位置を示す正面図である。
【図７】本発明に係る紙葉類管理装置の第１実施形態としての現金管理装置の棒金収納ドロアを示す斜視図である。
【図８】本発明に係る紙葉類管理装置の第１実施形態としての現金管理装置のドロア近傍を示す側面図である。
【図９】本発明に係る紙葉類管理装置の第１実施形態としての現金管理装置の全束厚み変化判定工程を示すフローチャートである。
【図１０】本発明に係る紙葉類管理装置の第１実施形態としての現金管理装置の全束厚み変化の状況を示す図である。
【図１１】本発明に係る紙葉類管理装置の第２実施形態としての現金管理装置の各束厚み変化判定工程を示すフローチャートである。
【図１２】本発明に係る紙葉類管理装置の第２実施形態としての現金管理装置の各束厚み変化の状況を示す図である。
【発明を実施するための形態】
【００４４】
［第１実施形態］
本発明に係る紙葉類管理装置の第１実施形態としての現金管理装置を図１〜図１０を参照して以下に説明する。
【００４５】
現金管理装置１０は、紙葉類として主に紙幣を管理するものである。現金管理装置１０は、例えば店舗の係員側スペースに設置されて係員により取り扱われるものであり、より窓口カウンタに近い位置で主に小束紙幣（小束紙葉類）および棒金を入出庫可能に収納するものである。
【００４６】
現金管理装置１０は、箱型の現金管理装置本体１１（本体）と、この現金管理装置本体１１に上下方向に複数段具体的には８段設けられた開閉部であるドロア１２とを有している。これらドロア１２は、その左右側壁に設けられたスライドレール１３を介して現金管理装置本体１１に対して水平方向に沿ってスライド開閉可能となっている。これらドロア１２は、前方に引き出されて開状態となり、後方に押し込まれて閉状態となり、このように前後方向にのみ所定範囲で移動可能となるように現金管理装置本体１１に連結されている。これらドロア１２は、開状態で現金が出し入れ可能となる一方、閉状態では現金が出し入れ不可となる。
【００４７】
複数段のドロア１２のうち、最も上側のものは、バラ貨幣収納ドロア１２（ａ）となっており、結束されていないバラ紙幣、包装されていないバラ硬貨、汚損紙幣や汚損硬貨、金券等を収納する。また、残りのドロア１２は、上側４段が小束紙幣を収納する小束収納ドロア１２（ｂ）となっており、下側３段が棒金を収納する棒金収納ドロア１２（ｃ）となっている。勿論、ドロア１２の全体の数や、そのうちの小束収納ドロア１２（ｂ）および棒金収納ドロア１２（ｃ）の個々の数等は任意に設定可能であり、例えば、バラ貨幣収納ドロア１２（ａ）以外の全てを、小束収納ドロア１２（ｂ）とすることも勿論可能である。小束収納ドロア１２（ｂ）は、開状態にあるとき、小束紙幣を受け入れおよび取り出し可能となり、閉状態にあるとき、小束紙幣を受け入れおよび取り出し不可となる。棒金収納ドロア１２（ｃ）は、開状態にあるとき、棒金を受け入れおよび取り出し可能となり、閉状態にあるとき、棒金を受け入れおよび取り出し不可となる。
【００４８】
現金管理装置本体１１の上部には、操作者によって操作入力がなされるとともに操作者に対して表示を行う操作表示部１５（許容範囲設定手段，判定有無設定手段）と、データを印字により出力するプリンタ１６とが設けられている。操作表示部１５は、操作者に対して操作ガイダンス等の情報やアラームを表示する表示部１７と、操作者のＩＤカードを走査するカードリーダ１８と、操作者により操作される操作キーボード１９と、操作者に対して操作ガイダンス等の音声やアラーム音を出力する音声発生部２０とを有している。
【００４９】
現金管理装置本体１１には、全てのドロア１２のそれぞれに対して、ドロア１２を閉状態で個別にロックする図２に示すロック機構２２が設けられている。言い換えれば、ロック機構２２は、複数のドロア１２のそれぞれに設けられてドロア１２を現金管理装置本体１１に閉状態でロックする。現金管理装置本体１１には、図１に示す複数のドロア１２のそれぞれの側方となる前面板２４に、ロック機構２２のロック解除時のみ点灯する表示灯２３が設けられている。
【００５０】
現金管理装置本体１１には、図２に示すように、操作表示部１５、プリンタ１６、ロック機構２２および表示灯２３に接続されてこれらを制御する制御部２５（検出手段，判定手段，束状態判断手段，許容範囲設定手段，判定有無設定手段）と、収納しているバラ紙幣、バラ硬貨、棒金および小束紙幣のそれぞれの数量情報および種類情報や処理関連のデータ等を記憶する記憶部２６とが設けられている。制御部２５は、複数のロック機構２２のロックを個別に解除可能となっており、記憶部２６を用いて複数のドロア１２の現金の収納量つまり在り高を個別に管理する。
【００５１】
ドロア１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有しており、上方開口形状となっている。枠体３４は、図１に示す小束収納ドロア１２（ｂ）と棒金収納ドロア１２（ｃ）とで共通となっている。
【００５２】
図３に示すように、小束収納ドロア１２（ｂ）は、結束された小束紙幣Ｔを入出庫可能に収納するもので、上記した枠体３４内に固定される複数、具体的には前後に５つ左右に２列の合成樹脂製の小束トレイ４０を有している。小束紙幣Ｔは、所定枚数（１００枚）の単一金種のバラ紙幣を、長辺方向および短辺方向をそれぞれ揃え厚み方向に集積させて結束テープからなる帯状の小帯ｔ０（帯状体）で結束してなるものである。小帯ｔ０は、紙幣の短辺方向（小束紙幣Ｔの短辺方向）および集積方向（小束紙幣Ｔの厚み方向）に沿うように巻き回されており、紙幣の長辺方向（小束紙幣Ｔの長辺方向）の中央よりも一側にずれて設けられている。
【００５３】
各小束トレイ４０は、機体前後方向に対し直交して立設された前壁部４１と、機体前後方向に対し直交して立設された後壁部４２と、機体左右方向に対し直交して立設された左右一対の側壁部４３と、これらで囲まれた部分の下部を閉塞する水平に沿う底部４４とを有し、上方に開口し下方に凹む形状をなすトレイ本体４５と、トレイ本体４５の底部４４に、前壁部４１および後壁部４２と平行を維持しつつ前後移動可能に設けられた札押さえ板４６を有している。トレイ本体４５の底部４４には、札押さえ板４６のスライドを案内するスライド溝４７と、小束紙幣Ｔのセット検知用のセンサ溝４８とが、前後方向に延在し上下方向に貫通するように形成されている。
【００５４】
各小束トレイ４０には、小束紙幣Ｔが、その長辺方向を左右にし短辺方向を上下にし厚み方向を前後にした立位状態で、上方から挿入されることになり、小束紙幣Ｔは、この立位状態のまま、底部４４に載置され、後壁部４２と札押さえ板４６とに挟持されて収納されることになる。よって、小束収納ドロア１２（ｂ）には、小束収納ドロア１２（ｂ）の現金管理装置本体１１に対する移動方向に厚み方向を沿わせて小束紙幣Ｔが収納されることになる。小束トレイ４０には、小束紙幣Ｔが１束から１０束まで収納可能であり、複数の小束紙幣Ｔは、上記立位状態のまま前後方向に重ねられて後壁部４２と札押さえ板４６とに挟持されることになる。つまり、小束トレイ４０には、後壁部４２と、札押さえ板４６と、一対の側壁部４３と、底部４４とで、下方に凹む上方開口形状の束収納凹部４９が形成されることになる。小束紙幣Ｔは、束収納凹部４９にその上部開口を介して上方から挿入されて収納される。束収納凹部４９の大きさは、１１束の以上の小束紙幣Ｔを収納困難な大きさとなっている。
【００５５】
小束トレイ４０には、小束紙幣Ｔが１０束収納可能であることから、１０束の小束紙幣Ｔを一纏めに結束してなる大束Ｏも収納可能となっている。大束Ｏは、所定束数である１０束の小束紙幣Ｔを、長辺方向および短辺方向をそれぞれ揃え厚み方向に積み重ねて、直交する二本の結束テープからなる帯状の大帯ｔ１，ｔ２で結束したものである。大帯ｔ１は、小束紙幣Ｔの長辺方向および積み重ね方向に沿うように巻き回されており、大帯ｔ２は、小束紙幣Ｔの短辺方向および積み重ね方向に沿うように巻き回されている。大束Ｏは、これを構成する１０束の小束紙幣Ｔが、それぞれの長辺方向を左右にし短辺方向を上下にし厚み方向を前後にした立位状態となるように、上方から挿入されることになり、この状態で、底部４４に載置され、後壁部４２と札押さえ板４６とに挟持されて収納されることになる。
【００５６】
なお、各小束トレイ４０は、それぞれ予め設定された単一金種の小束紙幣Ｔのみが束収納凹部４９に収納されるように決められており、よって、小束収納ドロア１２（ｂ）には、小束紙幣Ｔの収納位置である束収納凹部４９が金種毎に規定されている。
【００５７】
各小束トレイ４０の束収納凹部４９を構成する一対の側壁部４３間の幅は、収納対象金種の小束紙幣Ｔの長さよりも若干広い幅となっている。また、各小束トレイ４０の束収納凹部４９を構成する底部４４の高さは、いずれの小束トレイ４０においても収納対象金種の小束紙幣Ｔを載置した場合にその上端部の小束収納ドロア１２（ｂ）での上端部の高さ位置が一定するように設定されている。各束収納凹部４９の底部４４までの深さは、収納した小束紙幣Ｔを取り出し容易とすべく上方に突出させるように設定されている。各束収納凹部４９には、それぞれの側壁部４３の上面に、収納対象の金種を目視可能に明示する金種明示部５０が設けられている。各小束トレイ４０に収納すべき設定金種を示す収納金種データは、予め設定されて記憶部２６に記憶されることになる。
【００５８】
図４に示すように、現金管理装置本体１１の各小束収納ドロア１２（ｂ）が挿入されるドロア挿入空間形成部６５の下部の前端部には、図３に示す小束収納ドロア１２（ｂ）の左右２列の小束トレイ４０のそれぞれのセンサ溝４８の直ぐ下側となる位置に、センサ溝４８を介して小束紙幣Ｔのセット検知を行う光学反射型の小束セット検知センサ６６（検出手段）が位置固定で設けられている。小束セット検知センサ６６は小束収納ドロア１２（ｂ）の現金管理装置本体１１に対する移動によって、小束収納ドロア１２（ｂ）に収納された小束紙幣Ｔに対しその厚み方向に相対移動する。なお、各センサ溝４８は、束収納凹部４９における小束紙幣Ｔの小帯ｔ０が所定の一側（左側）にあるときの、小帯ｔ０の位置に合わせて形成されており、よって、各小束セット検知センサ６６も、図５（Ａ）に示すように、束収納凹部４９における小束紙幣Ｔの小帯ｔ０が所定の一側（左側）にあるときの、小帯ｔ０の位置に合わせて配置されている。なお、センサ溝４８は他側である右側にあっても、左右両側にあっても良く、いずれの場合であっても、小束セット検知センサ６６はセット検知だけではなく、帯である小帯ｔ０の検出センサの補助としても機能する。例えば、左側に小束セット検知センサ６６があったときに、小帯ｔ０も左側にあれば、小束セット検知センサ６６がその小帯ｔ０があることも検出でき、逆に小帯ｔ０が右側であれば、小束セット検知センサ６６が左側に小帯ｔ０がないことを検出できる。
【００５９】
また、図４に示すように、現金管理装置本体１１の各小束収納ドロア１２（ｂ）が挿入されるドロア挿入空間形成部６５の上部の前端部には、小束収納ドロア１２（ｂ）の左右２列の小束トレイ４０のそれぞれの上方近接位置に、図５（Ｂ）にも示すように、小束紙幣Ｔの左端位置を検出する左端検出ラインセンサ６７、小束紙幣Ｔの左側に小帯ｔ０がある場合にこれを検出する左側帯検出ラインセンサ６８（検出手段）、小束紙幣Ｔの右側に小帯ｔ０がある場合にこれを検出する右側帯検出ラインセンサ６９（検出手段）および小束紙幣Ｔの右端位置を検出する右端検出ラインセンサ７０の４つのセンサが位置固定で設けられている。左端検出ラインセンサ６７、左側帯検出ラインセンサ６８、右側帯検出ラインセンサ６９および右端検出ラインセンサ７０は検出素子を左右方向に並べた光学反射型のラインセンサとなっている。左端検出ラインセンサ６７、左側帯検出ラインセンサ６８、右側帯検出ラインセンサ６９および右端検出ラインセンサ７０も、小束収納ドロア１２（ｂ）の現金管理装置本体１１に対する移動によって、小束収納ドロア１２（ｂ）に収納された小束紙幣Ｔに対しその厚み方向に相対移動する。
【００６０】
小束セット検知センサ６６は、１つの小束収納ドロア１２（ｂ）に対し左右方向に並べられて２個設けられ、また、左端検出ラインセンサ６７、左側帯検出ラインセンサ６８、右側帯検出ラインセンサ６９および右端検出ラインセンサ７０の組が、１つの小束収納ドロア１２（ｂ）に対し左右方向に並べられて２組設けられている。
【００６１】
小束セット検知センサ６６は、発光素子が検出方向を上方に向けており、上方に発光した光の上方からの反射光を対応する受光素子で受光するようになっている。その結果、各小束収納ドロア１２（ｂ）のそれぞれの直ぐ下に設けられた小束セット検知センサ６６が、これらの直ぐ上で前後にスライドする小束収納ドロア１２（ｂ）の各束収納凹部４９に収納された小束紙幣Ｔの下端部の反射光データである貨幣検出反射データをセンサ溝４８を介して取得することになる。
【００６２】
左端検出ラインセンサ６７、左側帯検出ラインセンサ６８、右側帯検出ラインセンサ６９および右端検出ラインセンサ７０は、各発光素子が検出方向を下方に向けており、下方に発光した光の下方からの反射光を対応する受光素子で受光するようになっている。その結果、各小束収納ドロア１２（ｂ）のそれぞれの直ぐ上に設けられた左端検出ラインセンサ６７、左側帯検出ラインセンサ６８、右側帯検出ラインセンサ６９および右端検出ラインセンサ７０が、これらの直ぐ下で前後にスライドする小束収納ドロア１２（ｂ）の各束収納凹部４９に収納された小束紙幣Ｔの上端部の反射光データである貨幣検出反射データを取得することになる。
【００６３】
図６に示すように、全ての小束収納ドロア１２（ｂ）のそれぞれに対して、直上位置に、左端検出ラインセンサ６７、左側帯検出ラインセンサ６８、右側帯検出ラインセンサ６９および右端検出ラインセンサ７０の組が、左右方向に並べられて２組設けられており、直下位置に、小束セット検知センサ６６が左右方向に並べられて２個設けられている。
【００６４】
なお、検出対象となる小束収納ドロア１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、小束セット検知センサ６６、左端検出ラインセンサ６７、左側帯検出ラインセンサ６８、右側帯検出ラインセンサ６９および右端検出ラインセンサ７０は、検出対象となる小束収納ドロア１２（ｂ）の各束収納凹部４９の前後方向の全範囲を検出できるようになっている。小束セット検知センサ６６は、小束収納ドロア１２（ｂ）の開閉に伴って通過する、この小束収納ドロア１２（ｂ）内の小束紙幣Ｔの下端部から貨幣検出反射データを取得することになり、左端検出ラインセンサ６７、左側帯検出ラインセンサ６８、右側帯検出ラインセンサ６９および右端検出ラインセンサ７０は、小束収納ドロア１２（ｂ）の開閉に伴って通過する、この小束収納ドロア１２（ｂ）内の小束紙幣Ｔの上端部から貨幣検出反射データを取得することになる。
【００６５】
ここで、制御部２５は、小束セット検知センサ６６の貨幣検出反射データから、反射光量が多いセンサ溝４８上の紙幣あるいは小帯ｔ０と、紙幣がなく反射光量が少なくなる他の部分（センサ溝４８上の空間、センサ溝４８以外の部分）とを区別することで、小束紙幣Ｔが収納されている範囲を検出する。
【００６６】
小束紙幣Ｔには、一束ずつに小帯ｔ０が巻回されており、この小帯ｔ０が上端部にも存在することから、制御部２５は、左側帯検出ラインセンサ６８および右側帯検出ラインセンサ６９の貨幣検出反射データの合計値から、反射光量が多い小帯ｔ０と、小帯ｔ０が巻回されず反射光量が少なくなる紙幣部分と、紙幣がなく反射光量がさらに少なくなる他の部分（束収納凹部４９内外の空間）とを区別することになる。
【００６７】
また、制御部２５は、左側帯検出ラインセンサ６８および右側帯検出ラインセンサ６９の貨幣検出反射データの合計値から、隣り合う小束紙幣Ｔの小帯ｔ０と小帯ｔ０との間の反射光量が少なくなる部分、隣り合う小束紙幣Ｔの小帯ｔ０と紙幣との間の反射光量が少なくなる部分を検出することで、隣り合う小束紙幣Ｔの間部分を検出する。
【００６８】
さらに、制御部２５は、左端検出ラインセンサ６７および右端検出ラインセンサ７０の貨幣検出反射データから、反射光量が多い紙幣部分と、紙幣がなく反射光量が少なくなる他の部分（束収納凹部４９内外の空間）とを区別することで、紙幣部分の端部を検出した各受光素子の位置から小束紙幣Ｔの長さ方向の両端部の位置を検出する。
【００６９】
制御部２５は、後述するロータリエンコーダ８８で検知ディスク８７のスリットを検知する毎に小束セット検知センサ６６、左端検出ラインセンサ６７、左側帯検出ラインセンサ６８、右側帯検出ラインセンサ６９および右端検出ラインセンサ７０のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００７０】
そして、制御部２５は、小束セット検知センサ６６で小束紙幣Ｔが検出されている範囲を基準として検出範囲を設定し、この検出範囲における、左側帯検出ラインセンサ６８および右側帯検出ラインセンサ６９の補正後の貨幣検出反射データと、記憶部２６に記憶された小束紙幣Ｔ用の数量マスタデータとを照合することで、小束収納ドロア１２（ｂ）内の小束紙幣Ｔの数量である数量検出データを取得する束数検出工程を行う。例えば、補正後の貨幣検出反射データの中で、一つの小帯ｔ０と判断できる、数量マスタデータの結束テープ判断基準光量データ以上の光量があり且つ数量マスタデータの結束テープ判断基準面積データ以上の纏まった面積を有する小帯ｔ０の部分を数えて、これを小束紙幣Ｔの数量である数量検出データとする。つまり、小帯ｔ０の数を小束紙幣Ｔの数量である数量検出データとする。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの数量検出データを取得する。
【００７１】
また、制御部２５は、上記検出範囲における、左端検出ラインセンサ６７および右端検出ラインセンサ７０の補正後の貨幣検出反射データと、記憶部２６に記憶された金種マスタデータとを照合することで、小束収納ドロア１２（ｂ）内の小束紙幣Ｔの金種である金種検出データを取得する。例えば、左端検出ラインセンサ６７および右端検出ラインセンサ７０の補正後の貨幣検出反射データの中で、上記のように検出した結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する小束紙幣Ｔの金種とする金種検出データを取得する金種判断を行う。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの金種検出データを取得する。
【００７２】
制御部２５は、小束セット検知センサ６６の貨幣検出反射データから割り出される、小束セット検知センサ６６で小束紙幣Ｔを検出している時間と、後述するロータリエンコーダ８８の開閉位相データとに基づいて、検出対象となる小束収納ドロア１２（ｂ）の全小束トレイ４０のそれぞれについて、収納状態にある全小束紙幣Ｔの下部の全体の厚みである全束厚みを検出する下部全束厚み検出工程を行う。また、制御部２５は、左側帯検出ラインセンサ６８および右側帯検出ラインセンサ６９の貨幣検出反射データから割り出される、左側帯検出ラインセンサ６８および右側帯検出ラインセンサ６９のいずれかで小束紙幣Ｔを検出している時間と、後述するロータリエンコーダ８８の開閉位相データとに基づいて、検出対象となる小束収納ドロア１２（ｂ）の全小束トレイ４０のそれぞれについて、収納状態にある全小束紙幣Ｔの上部の全体の厚みである全束厚みを検出する上部全束厚み検出工程を行う。また、制御部２５は、上記した束数検出工程において、左側帯検出ラインセンサ６８および右側帯検出ラインセンサ６９のそれぞれの貨幣検出反射データから割り出される、収納状態にある全小束紙幣Ｔの小帯ｔ０の数を検出し、検出対象となる小束収納ドロア１２（ｂ）の全小束トレイ４０のそれぞれについて、収納状態にある全小束紙幣Ｔの束数を検出する。
【００７３】
具体的に、制御部２５は、下部全束厚み検出工程において、一つの小束トレイ４０に収納された全小束紙幣Ｔの、小束収納ドロア１２（ｂ）の移動方向における一端から他端までを小束セット検知センサ６６によって連続的に検出している時間と、その間の小束収納ドロア１２（ｂ）の、ロータリエンコーダ８８の開閉位相データから求まる開閉速度とから、全小束紙幣Ｔの下部の全束厚みを検出する。また、制御部２５は、上部全束厚み検出工程において、一つの小束トレイ４０に収納された全小束紙幣Ｔの、小束収納ドロア１２（ｂ）の移動方向における一端から他端までを左側帯検出ラインセンサ６８および右側帯検出ラインセンサ６９のいずれかで検出している時間と、その間の小束収納ドロア１２（ｂ）の、ロータリエンコーダ８８の開閉位相データから求まる開閉速度とから、全小束紙幣Ｔの上部の全束厚みを検出し、その間に、束数検出工程において、左側帯検出ラインセンサ６８および右側帯検出ラインセンサ６９で小帯ｔ０の数を検出し、全小束紙幣Ｔの束数を検出する。これらの下部全束厚み検出工程、上部全束厚み検出工程および束数検出工程を全ての小束トレイ４０に対して行う。
【００７４】
つまり、制御部２５、小束セット検知センサ６６、左側帯検出ラインセンサ６８、右側帯検出ラインセンサ６９およびロータリエンコーダ８８は、検出対象となる小束収納ドロア１２（ｂ）が開閉されると、この小束収納ドロア１２（ｂ）の全小束トレイ４０のそれぞれについて、収納状態にある小束紙幣Ｔの厚みを、この小束収納ドロア１２（ｂ）の現金管理装置本体１１に対する移動によって検出することになり、具体的には、収納状態にある小束紙幣Ｔの束数と、この束数分の小束紙幣Ｔの全束厚みとを検出することになる。
【００７５】
また、制御部２５は、一つの小束トレイ４０に収納された全小束紙幣Ｔの束数が大束Ｏを構成する所定束数である１０束である場合、これら小束紙幣Ｔが、１０束の小束紙幣Ｔを大帯ｔ１，ｔ２で結束してなる大束Ｏを構成するものであるか否かを判断する束状態判断工程を行う。具体的には、束状態判断工程では、１０束の小束紙幣Ｔの上部または下部の全束厚みと、全小束紙幣Ｔの上部の全束厚みを下部の全束厚みで除した比率とに基づいて、小束紙幣Ｔが大束Ｏを構成するものであるか否かを判断する。ここで、１０束の小束紙幣Ｔが大束Ｏを構成する場合、１０束の小束紙幣Ｔが大束Ｏを構成しない場合と比べて、上部および下部の全束厚みのバラツキは小さく、全小束紙幣Ｔの上部の全束厚みを下部の全束厚みで除した比率は１に近くなる。このため、制御部２５は、１０束の小束紙幣Ｔの上部または下部の全束厚みが所定の厚み範囲にあり、且つ、全小束紙幣Ｔの上部の全束厚みを下部の全束厚みで除した比率が所定の比率範囲にあると、小束紙幣Ｔが大束Ｏを構成するものであると判断し、それ以外は、小束紙幣Ｔが大束Ｏを構成しないと判断する。
【００７６】
図７に示す棒金収納ドロア１２（ｃ）は、単一金種の貨幣である硬貨が所定枚数（５０枚）集積されて包装紙で包装されてなる包装硬貨である棒金Ｂを入出庫可能に収納するもので、上記した枠体３４内に固定される複数、具体的には、前後に金種径に応じて６つまたは５つ、左右に４列の合成樹脂製の棒金トレイ５５を有している。
【００７７】
棒金トレイ５５は、棒金Ｂが中心軸線を上下にした立位状態で収納されるものである。棒金トレイ５５は、円筒を一部切り取った形状の湾曲面５６を、複数具体的には左側の３カ所と右側の３カ所と前端１カ所と後端１カ所の８カ所に有する鉛直方向に沿う壁部５７と、壁部５７の下部を閉塞する水平方向に沿う底部５８とを有している。壁部５７および底部５８は、下方に凹む上方開口形状の棒金収納凹部５９を構成している。湾曲面５６は左側の３カ所が左右方向の位置を合わせており、右側の３カ所も左右方向の位置を合わせている。左右前端の湾曲面５６は前後方向の位置を合わせており、中央前端の湾曲面５６はこれらよりも前側に配置されている。左右後端の湾曲面５６は前後方向の位置を合わせており、中央後端の湾曲面５６はこれらよりも後側に配置されている。
【００７８】
これにより、棒金トレイ５５の棒金収納凹部５９には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、合計１０本の棒金Ｂが収納されるようになっている。左右の棒金Ｂは前後方向の位置を互いに合わせており、中央の棒金Ｂは、これらに対して前後方向の位置をずらしている。棒金Ｂは、棒金収納凹部５９に、その上部開口を介して上方から挿入されることになり、棒金収納凹部５９の壁部５７および他の棒金Ｂで支持されて中心軸線を鉛直配置した立位状態に維持される。
【００７９】
底部５８には、各湾曲面５６と同心をなす８カ所と、これらの内側の前後２カ所とに、各棒金Ｂを載置させる円筒状の載置台部６０が上方に突出するように形成されている。載置台部６０の外径は、棒金Ｂの包装紙の加締部の内径よりも小さくされており、載置台部６０の突出高さは加締部の硬貨からの突出高さよりも高くなっている。これにより、載置台部６０は、棒金Ｂの加締部を逃げて硬貨部分を直接支持するようになっている。載置台部６０の内側は、棒金Ｂのセット検知用の、上下に貫通する貫通孔６１となっている。載置台部６０およびその内側の貫通孔６１も、左側の３カ所が左右方向の位置を合わせて前後１列に並べられており、中央の４カ所が左右方向の位置を合わせて前後１列に並べられていて、右側の３カ所が左右方向の位置を合わせて前後１列に並べられている。
【００８０】
なお、各棒金トレイ５５の棒金収納凹部５９は、それぞれ予め設定された単一金種の棒金Ｂのみが収納されるように決められている。言い換えれば、棒金収納ドロア１２（ｃ）には、金種毎に棒金Ｂの収納位置である棒金収納凹部５９が規定されている。各棒金トレイ５５に収納すべき設定金種を示す収納金種データは、予め設定されて記憶部２６に記憶されることになる。
【００８１】
現金管理装置本体１１の前端部には、棒金収納ドロア１２（ｃ）の左右４列の棒金トレイ５５のそれぞれの３列の貫通孔６１の直ぐ下側となる位置に、左右方向に同列で前後方向に並ぶ貫通孔６１を介して棒金Ｂのセット検知を行う光学反射型の図２に示す棒金セット検知センサ７６が位置固定で設けられている。
【００８２】
また、現金管理装置本体１１の前端部には、棒金収納ドロア１２（ｃ）の左右４列の棒金トレイ５５のそれぞれの３列の棒金収納位置の上方近接位置に、左右方向に同列で前後方向に並ぶ棒金Ｂの上端部を検出する、検出素子を左右方向に並べた光学反射型の図２に示す棒金検出ラインセンサ７７が、それぞれ位置固定で設けられている。
【００８３】
制御部２５は、棒金セット検知センサ７６の貨幣検出反射データから、反射光量が多い貫通孔６１上の棒金Ｂと、棒金Ｂがなく反射光量が少なくなる他の部分（貫通孔６１上の空間、貫通孔６１以外の部分）とを区別することで、棒金Ｂが収納されている範囲を検出する。
【００８４】
また、制御部２５は、棒金検出ラインセンサ７７の貨幣検出反射データから、反射光量が多い棒金Ｂと、反射光量が少なくなる他の部分（棒金収納凹部５９内外の空間）とを区別することになり、棒金Ｂの他の部分との境界位置である外周部を検出した各受光素子の位置から棒金Ｂの外周部の位置を検出する。また、棒金Ｂの反射光量から金種を識別することになり、反射光量が少なくなる他の部分のうち、形状、大きさおよび外周部に対する位置から棒金Ｂ内の孔であるか否かを識別することになる。
【００８５】
図６に示すように、全ての棒金収納ドロア１２（ｃ）のそれぞれに対し、直上位置に、１２個の棒金検出ラインセンサ７７が設けられており、直下位置に、１２個の棒金セット検知センサ７６が設けられている。
【００８６】
制御部２５は、後述するロータリエンコーダ８８で検知ディスク８７のスリットを検知する毎に棒金セット検知センサ７６および棒金検出ラインセンサ７７のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００８７】
そして、制御部２５は、棒金セット検知センサ７６で棒金Ｂが検出されている範囲を基準として検出範囲を設定し、この検出範囲における、棒金検出ラインセンサ７７の補正後の貨幣検出反射データと、記憶部２６に記憶された棒金Ｂ用の数量マスタデータとを照合することで、棒金収納ドロア１２（ｃ）内の棒金Ｂの数量である数量検出データを取得する。例えば、棒金検出ラインセンサ７７の補正後の貨幣検出反射データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。勿論、制御部２５は、棒金セット検知センサ７６および棒金検出ラインセンサ７７の各組それぞれについて、別々に、棒金Ｂの数量検出データを取得する。
【００８８】
また、制御部２５は、上記検出範囲における、棒金検出ラインセンサ７７の補正後の貨幣検出反射データと、記憶部２６に記憶された金種マスタデータとを照合することで、棒金収納ドロア１２（ｃ）内の棒金Ｂの金種である金種検出データを取得する。例えば、棒金検出ラインセンサ７７の補正後の貨幣検出反射データの中で、上記のように検出し棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出反射データの反射光量とを金種マスタデータの金種基準データと比較して、許容範囲内で一致する金種基準データに対応する金種を、この棒金部分に対応する棒金Ｂの金種とする金種検出データを取得する金種判断を行う。勿論、制御部２５は、左右方向の位置が合う棒金セット検知センサ７６および棒金検出ラインセンサ７７の各組それぞれについて、別々に、棒金Ｂの金種検出データを取得する。
【００８９】
制御部２５は、一の小束収納ドロア１２（ｂ）内に収納された小束紙幣Ｔに関する数量検出データおよび金種検出データを総合して、この小束収納ドロア１２（ｂ）内の在り高（小束紙幣Ｔの各金種別の束数、合計金額等）を管理する。また、制御部２５は、一の棒金収納ドロア１２（ｃ）内に収納された棒金Ｂに関する数量検出データおよび金種検出データを総合して、この棒金収納ドロア１２（ｃ）内の在り高（棒金Ｂの各金種別の本数、合計金額等）を管理する。バラ貨幣収納ドロア１２（ａ）の在り高については、バラ貨幣収納ドロア１２（ａ）へのバラ紙幣、バラ硬貨の入出庫を含む入出庫取引の際に、操作キーボード１９を介して入力される、バラ紙幣の入庫数、バラ紙幣の出庫数、バラ硬貨の入庫数およびバラ硬貨の出庫数等に基づいて管理する。
【００９０】
現金管理装置本体１１には、全てのドロア挿入空間形成部６５のそれぞれの前端位置と後端位置とに、図８に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００９１】
そして、三つの歯付プーリ８３，８４，８６にはタイミングベルト９１が巻回されており、このタイミングベルト９１には、ドロア１２のうちの挿入されたものの後端部が固定されている。これにより、ドロア１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別のドロア１２の開閉位相データを取得することになる。制御部２５は、この開閉位相データからドロア１２の開閉方向およびその位置を割り出すことになり、移動量を時間で除算することでドロア１２の開閉速度を割り出すことになる。なお、検知ディスク８７と一体回転する歯付プーリ８６の前方にはタイミングベルト９１の弛みをとるテンションプーリ９２が設けられている。
【００９２】
また、現金管理装置本体１１には、全てのドロア挿入空間形成部６５のそれぞれの後端位置に、ドロア１２のうちの挿入されたものの後端部の検知片９５を検知することで、このドロア１２が現金管理装置本体１１に最も押し込まれた後端位置である全閉位置にあることを示す開閉位相データを取得する全閉検出センサ９６が位置固定で設けられている。現金管理装置本体１１には、全てのドロア挿入空間形成部６５のそれぞれの前端位置に、ドロア１２のうちの挿入されたものの後端部の検知片９５を検知することで、このドロア１２が現金管理装置本体１１から最も引き出された前端位置である全開位置にあることを示す開閉位相データを取得する全開検出センサ９７が位置固定で設けられている。つまり、全閉検出センサ９６および全開検出センサ９７は、ドロア１２の開閉位相情報を取得する。
【００９３】
加えて、現金管理装置本体１１には、全てのドロア挿入空間形成部６５のそれぞれに、挿入されたドロア１２を全閉位置でロックする図２に示すロック機構２２が設けられている。つまり、全てのドロア１２のそれぞれに対して、ドロア１２を閉状態で個別にロックするロック機構２２が設けられている。各ロック機構２２は、電気的に駆動されるとロックが解除されて、対応するドロア１２を引き出し可能とし開作動を許容する状態となる。また、各ロック機構２２は、対応するドロア１２が引き出されると電気的な駆動が解除されることになり、この状態で、ドロア１２が全閉位置に戻されると、ドロア１２を全閉位置で引き出し不可に自動的かつ機械的にロックする。
【００９４】
以上の構成の第１実施形態に係る現金管理装置１０は、操作者が、例えば、他の入出金機に補充する際に現金を取り出したり、顧客に渡す際に現金を取り出したり、顧客から預かった現金を収納する際に受け入れたり、顧客から受け取った現金貨幣を同額の異金種の貨幣へ両替する際に現金を取り出したりする際等に使用される。つまり、現金管理装置１０は、操作者が、バラ硬貨、バラ紙幣、棒金Ｂおよび小束紙幣Ｔのうちの少なくともいずれか一つを現金管理装置１０から取り出す出庫時、現金管理装置１０にバラ硬貨、バラ紙幣、棒金Ｂおよび小束紙幣Ｔのうちの少なくともいずれか一つを受け入れて収納する入庫時、および入庫と出庫とを同時並行で行う入庫・出庫時のいずれかからなる入出庫取引時に使用される。
【００９５】
次に、第１実施形態の現金管理装置１０を用いた現金管理方法（紙葉類管理方法）について説明する。まず、一の入出庫取引の開始にあたって、操作者が、現金管理装置１０のカードリーダ１８にＩＤカードのカード識別データを読み取らせ操作キーボード１９に操作者識別データを入力する。すると、制御部２５が、入力されたこれらのカード識別データおよび操作者識別データと一致するデータが記憶部２６に予め記憶されたカード識別のマスタデータおよび操作者識別のマスタデータにあるか否かを判定し、いずれか一方でもマスタデータにない場合、表示部１７にその旨のアラームを表示させるとともに音声発生部２０にアラーム音を発生させる。加えて、現金管理装置１０が上位機に接続されている場合、上位機にもその旨を示すアラーム信号を出力する。
【００９６】
入力されたカード識別データおよび操作者識別データと一致するカード識別および操作者識別のマスタデータがある場合、制御部２５は、日時情報を含むこの一の入出庫取引の取引識別データを設定するとともに、この一の入出庫取引に必要な種類入力データ、区別データおよび数量入力データの入力を促す表示を、表示部１７に表示させる。ここで、種類入力データは、金種およびその状態（バラ、棒金、小束）を示すものであり、区別データは、種類入力データが入庫であるか出庫であるかを示すものであり、数量入力データは、種類入力データの数量を示すものである。一の入出庫取引で入力される種類入力データ、区別データおよび数量入力データの組は、一組および複数組の両方の場合がある。操作者が、操作キーボード１９に、これらの情報を入力すると、制御部２５は、入力データを確定する確定操作を促す表示を表示部１７に表示させる。
【００９７】
確定操作を促す表示を見た操作者によって確定操作が操作キーボード１９に入力されると、制御部２５は、この一の入出庫取引の上記した種類入力データ、区別データおよび数量入力データを表示部１７に表示させるとともに、先に設定したこの一の入出庫取引の取引識別データに関連付けて、この一の入出庫取引で入力された操作者識別データと、この一の入出庫取引にて入力された上記の種類入力データ、区別データおよび数量入力データとを記憶部２６に記憶する。
【００９８】
制御部２５は、この一の入出庫取引にて入力された種類入力データ、区別データおよび数量入力データに基づいて、バラ貨幣収納ドロア１２（ａ）、全ての小束収納ドロア１２（ｂ）および全ての棒金収納ドロア１２（ｃ）の中から、この一の入出庫取引にて現金が入出庫処理つまり受入処理および取出処理の少なくともいずれか一方がなされる対象ドロア１２を割り出す。そして、割り出した対象ドロア１２をロックするロック機構２２を駆動してロックを解除し、割り出した対象ドロア１２を現金管理装置本体１１から引き出し可能とする。
【００９９】
例えば、この一の入出庫取引にて入力された種類入力データに小束紙幣Ｔが含まれる場合、制御部２５は、含まれる金種の小束紙幣Ｔを収納している小束収納ドロア１２（ｂ）を対象ドロア１２とし、この小束収納ドロア１２（ｂ）をロックしているロック機構２２のロックを解除するとともにその表示灯２３を点灯させることになる。
【０１００】
制御部２５が、この小束収納ドロア１２（ｂ）をロックするロック機構２２を駆動すると、操作者により、この小束収納ドロア１２（ｂ）が開閉される。すなわち、まず、この小束収納ドロア１２（ｂ）の現金管理装置本体１１からの引き出しつまり開庫が開始されることになる。制御部２５は、この小束収納ドロア１２（ｂ）用の全閉検出センサ９６、ロータリエンコーダ８８および全開検出センサ９７の開閉位相データからこの一の小束収納ドロア１２（ｂ）の引き出し開始および開閉位置を検出することになり、これらの開閉位相データからこの一の小束収納ドロア１２（ｂ）が後端位置から前端位置まで移動したか否かを判断する。
【０１０１】
つまり、制御部２５は、全閉検出センサ９６、ロータリエンコーダ８８および全開検出センサ９７の開閉位相データに基づき、ロータリエンコーダ８８が検知ディスク８７の回転の検知を開始し且つ全閉検出センサ９６が検知片９５を検知しない状態となると、引き出しが開始されたことを検出することになる。その後、ロータリエンコーダ８８が検知ディスク８７の回転の検知を停止し且つ全開検出センサ９７が検知片９５を検知する状態となると、制御部２５は、この一の小束収納ドロア１２（ｂ）が後端位置から前端位置まで開庫された正常開動作を検出する。この一の小束収納ドロア１２（ｂ）が前端位置まで移動したことを検出すると、制御部２５は、この小束収納ドロア１２（ｂ）をロックするロック機構２２の駆動を停止する。
【０１０２】
なお、この一の小束収納ドロア１２（ｂ）が、後端位置にある全閉状態から引き出しが開始された後、前端位置に位置する全開状態とならずに後端位置に戻ったことを、全閉検出センサ９６、ロータリエンコーダ８８および全開検出センサ９７の開閉位相データに基づいて検出すると、制御部２５は、正常開動作と判断せず、表示部１７にアラームを表示させるとともに音声発生部２０でアラーム音を発生させ、その表示灯２３を点灯させる。アラームを受けて、操作者は、この一の小束収納ドロア１２（ｂ）についての入出庫をやり直す。加えて、現金管理装置１０が上位機に接続されている場合、上位機にもその旨を示すアラーム信号を出力する。
【０１０３】
ここで、この一の小束収納ドロア１２（ｂ）の現金管理装置本体１１からの引き出しが開始されたことを全閉検出センサ９６およびロータリエンコーダ８８の検知結果から検出すると、制御部２５は、この一の小束収納ドロア１２（ｂ）の引き出し直前の在り高を表示部１７に表示させる。操作者は、表示部１７に表示された在り高を必要により参照しつつこの一の小束収納ドロア１２（ｂ）に対する小束紙幣Ｔの入出庫を行う。この一の小束収納ドロア１２（ｂ）が現金管理装置本体１１から引き出された状態では、制御部２５は、全てのドロア１２のそれぞれの在り高のうち、この一の小束収納ドロア１２（ｂ）の在り高のみを表示部１７に表示させる。
【０１０４】
このように、この一の小束収納ドロア１２（ｂ）が開かれた状態で、この一の小束収納ドロア１２（ｂ）に小束紙幣Ｔを受け入れる受入処理、および、この一の小束収納ドロア１２（ｂ）から小束紙幣Ｔが取り出される取出処理の少なくともいずれか一方の処理が行われる。
【０１０５】
前端位置に位置する全開状態になった後、ロータリエンコーダ８８が検知ディスク８７の回転の検知を開始し且つ全開検出センサ９７が検知片９５を検知しない状態となることで、この一の小束収納ドロア１２（ｂ）の閉方向の移動つまり閉庫が開始されたことを検出すると、制御部２５は、この一の小束収納ドロア１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。ロータリエンコーダ８８が検知ディスク８７の回転の検知を停止し且つ全閉検出センサ９６が検知片９５を検知する状態となることで、この一の小束収納ドロア１２（ｂ）が後端位置に位置する全閉状態になったことが検出されると、制御部２５は、貨幣検出反射データの取り込みを終了させる。この一の小束収納ドロア１２（ｂ）が後端位置に閉庫されると、ロック機構２２がこの一の小束収納ドロア１２（ｂ）を機械的かつ自動的にロックする。この閉庫時に、上記した束数検出工程、下部全束厚み検出工程および上部全束厚み検出工程を行う。
【０１０６】
そして、この一の小束収納ドロア１２（ｂ）が前端位置から後端位置に閉庫されたことが検出されると、制御部２５は、この一の小束収納ドロア１２（ｂ）の表示灯２３を消灯し、この一の小束収納ドロア１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組についての閉庫時の貨幣検出反射データから、上記のようにして、この一の小束収納ドロア１２（ｂ）の各束収納凹部４９に収納された小束紙幣Ｔの数量検出データを取得し、個々の小束紙幣Ｔの金種検出データを取得する。
【０１０７】
数量検出データおよび金種検出データの取得後、制御部２５は、今回取得した金種別の数量検出データと、前回の入出庫取引時に記憶部２６に記憶されたこの一の小束収納ドロア１２（ｂ）の金種別の数量検出データとから、この一の小束収納ドロア１２（ｂ）における増減分となる、今回の一の入出庫取引での、実取引の数量である数量実取引データおよび実取引の金種である金種実取引データを総合した金種別の数量実取引データを割り出す。そして、制御部２５は、この金種別の数量実取引データを、今回の一の入出庫取引に対して入力された、種類入力データ、区別データおよび数量入力データを総合した金種別の数量入力データと照合し、差異が存在したか否かを判定する。つまり、この一の小束収納ドロア１２（ｂ）に関する入出庫の金種別の数量実取引データと、この一の小束収納ドロア１２（ｂ）に関する入出庫の金種別の数量入力データとが一致すれば、差異は存在しないと判定し、それ以外は、差異が発生したと判定する。このように、制御部２５は、対象ドロア１２であるこの一の小束収納ドロア１２（ｂ）が全開位置まで引き出された後に全閉位置まで押し込まれると、この一の小束収納ドロア１２（ｂ）に対して、現金が、操作キーボード１９に入力された種類入力データ、区別データおよび数量入力データにしたがって入出庫されたか否かを精査する。
【０１０８】
この一の小束収納ドロア１２（ｂ）において、金種別の数量実取引データと金種別の数量入力データとに差異が存在すると、制御部２５は、表示部１７にアラームを表示させるとともに音声発生部２０でアラーム音を発生させて、再びこの一の小束収納ドロア１２（ｂ）をロックしているロック機構２２のロックを解除するとともに、その表示灯２３を点灯させる。これにより、この一の小束収納ドロア１２（ｂ）が引き出し可能となる。アラームを受けて、操作者は、この一の小束収納ドロア１２（ｂ）についての入出庫をやり直す。加えて、現金管理装置１０が上位機に接続されている場合、上位機にもその旨を示すアラーム信号を出力する。
【０１０９】
この一の小束収納ドロア１２（ｂ）が全開状態から閉庫されると、制御部２５は、上記のように、束数検出工程にて、この一の小束収納ドロア１２（ｂ）の全小束トレイ４０のそれぞれについて、収納状態にある全小束紙幣Ｔの数量検出データつまり束数を検出する。
【０１１０】
また、この閉庫時に、上記に加えて、制御部２５は、この一の小束収納ドロア１２（ｂ）に対して設けられた左右の小束セット検知センサ６６の貨幣検出反射データとロータリエンコーダ８８の開閉位相データとから、上記のようにして、この一の小束収納ドロア１２（ｂ）の全小束トレイ４０のそれぞれについて、収納状態にある全小束紙幣Ｔの下部の全束厚みを検出する下部全束厚み検出工程を行う。
【０１１１】
また、この閉庫時に、上記に加えて、制御部２５は、この一の小束収納ドロア１２（ｂ）に対して設けられた左側帯検出ラインセンサ６８および右側帯検出ラインセンサ６９の左右二組の貨幣検出反射データとロータリエンコーダ８８の開閉位相データとから、上記のようにして、この一の小束収納ドロア１２（ｂ）の全小束トレイ４０のそれぞれについて、収納状態にある全小束紙幣Ｔの上部の全束厚みを検出する上部全束厚み検出工程を行う。
【０１１２】
そして、制御部２５は、今回開閉された一の小束収納ドロア１２（ｂ）の全小束トレイ４０のそれぞれについて、これら束数検出工程、下部全束厚み検出工程および上部全束厚み検出工程の検出結果に基づいて、収納している小束紙幣Ｔが大束Ｏを構成するものであるか否かを判定する束状態判断工程を行う。収納している小束紙幣Ｔが大束Ｏを構成するものではない全ての小束トレイ４０のそれぞれについて、小束紙幣Ｔに厚み異常があるか否かを判定する全束厚み異常判定工程を行う。なお、全束厚み異常判定工程にかえて、全小束紙幣Ｔのそれぞれに異常があるか否かを判定する各束厚み異常判定工程を行ってもよい。各束厚み異常判定工程の詳細は、後述する第２実施形態において説明する。
【０１１３】
全束厚み異常判定工程では、この一の小束収納ドロア１２（ｂ）の全小束トレイ４０のそれぞれについて、収納状態にある全小束紙幣Ｔの束数に応じて、この束数分の全小束紙幣Ｔの全束厚みの許容範囲である全束厚み許容範囲を決定する。例えば、この束数に、記憶部２６に予め記憶された小束紙幣Ｔの１束分の基準厚さをかけて全束厚み許容範囲とすることができる。ここでは、小束紙幣Ｔの１束分の基準厚さを、束数に応じて異ならせている。例えば、束数が１束である場合は第１の基準厚さが使用され、束数が２〜３束の場合には第１の基準厚さとは異なる第２の基準厚さが使用され、束数が４〜６束の場合には第１，第２の基準厚さとは異なる第３の基準厚さが使用され、束数が７束以上の場合に第１〜第３の基準厚さとは異なる第４の基準厚さが使用される。また、新券の小束紙幣Ｔの場合の基準厚さと、流通券の小束紙幣Ｔの場合の基準厚さとを、異ならせている。例えば、新券の小束紙幣Ｔの場合に、束数に応じて新券用の第１〜第４の基準厚さを使用し、流通券の小束紙幣Ｔの場合も、束数に応じて流通券用の第１〜第４の基準厚さを使用する。新券の小束紙幣Ｔであるか流通券の小束紙幣Ｔであるかは、左側帯検出ラインセンサ６８および右側帯検出ラインセンサ６９による紙幣部分の貨幣検出反射データから判別する。
【０１１４】
ここで、制御部２５は、記憶部２６に予め記憶されている小束紙幣Ｔの１束分の基準厚さの設定を、保守モード等で行われる許容範囲設定工程において、操作表示部１５を介する操作者の操作により変更可能となっている。言い換えれば、制御部２５は、保守モード等で行われる許容範囲設定工程において、操作表示部１５を介して小束紙幣Ｔの１束分の基準厚さの設定を変更することで、全束厚み許容範囲の設定を変更する。
【０１１５】
全束厚み異常判定工程として、制御部２５は、この一の小束収納ドロア１２（ｂ）の全小束トレイ４０のそれぞれについて、収納状態にある全小束紙幣Ｔの下部の全束厚みが、その束数分の全小束紙幣Ｔの全束厚み許容範囲内になければ、小束紙幣Ｔに厚み異常があると判定する一方、収納状態にある全小束紙幣Ｔの下部の全束厚みが、その束数分の全小束紙幣Ｔの全束厚み許容範囲内にあれば、小束紙幣Ｔに厚み異常がないと判定する下部全束厚み異常判定工程を行う。全束厚み異常判定工程として、下部全束厚み異常判定工程に代えて、収納状態にある全小束紙幣Ｔの上部の全束厚みが、その束数分の全小束紙幣Ｔの全束厚み許容範囲内になければ、小束紙幣Ｔに厚み異常があると判定する一方、収納状態にある全小束紙幣Ｔの上部の全束厚みが、その束数分の全小束紙幣Ｔの全束厚み許容範囲内にあれば、小束紙幣Ｔに厚み異常がないと判定する上部全束厚み異常判定工程を行っても良い。全束厚み異常判定工程として、下部全束厚み異常判定工程および上部全束厚み異常判定工程の両方を行っても良く、その場合、下部全束厚み異常判定工程および上部全束厚み異常判定工程の両方で、全束厚みが全束厚み許容範囲内にあれば、小束紙幣Ｔに厚み異常がないと判定し、下部全束厚み異常判定工程および上部全束厚み異常判定工程の少なくともいずれか一方で、全束厚みが全束厚み許容範囲内になければ、小束紙幣Ｔに厚み異常があると判定する。
【０１１６】
全束厚み異常判定工程において、いずれかの小束トレイ４０にて小束紙幣Ｔに厚み異常があると判定すると、制御部２５は、表示部１７に、この一の小束トレイ４０の識別、これが配置されている小束収納ドロア１２（ｂ）の識別および全束厚みに異常がある旨の情報を含む全束厚み異常通知のガイダンス表示を表示させるとともに、音声発生部２０でアラーム音を発生させる。これにより、紙幣が抜かれて厚みが薄くなった状態の小束紙幣Ｔが小束トレイ４０に投入されたことを、どの小束収納ドロア１２（ｂ）のどの小束トレイ４０に収納されたかを含めて報知する。加えて、現金管理装置１０が上位機に接続されている場合、上位機にも、全束厚み異常通知の内容を含むアラーム信号を出力する。
【０１１７】
また、制御部２５は、今回開閉された一の小束収納ドロア１２（ｂ）の全小束トレイ４０のそれぞれについて、上記した束数検出工程、下部全束厚み検出工程および上部全束厚み検出工程の検出結果に基づいて、図９に示すフローチャートに沿って、小束紙幣Ｔに厚み異常があるか否かを判定する全束厚み変化判定工程を行う。
【０１１８】
全束厚み変化判定工程で、制御部２５は、一の小束収納ドロア１２（ｂ）の閉庫直後の、この一の小束収納ドロア１２（ｂ）の一の小束トレイ４０についての、収納状態にある全小束紙幣Ｔの束数、全小束紙幣Ｔの下部の全束厚みおよび全小束紙幣Ｔの上部の全束厚みを取得する（ステップＳａ１）。
【０１１９】
次に、制御部２５は、この一の小束収納ドロア１２（ｂ）の今回の開閉直前つまり前回の開閉直後の、この一の小束収納ドロア１２（ｂ）の一の小束トレイ４０についての、収納状態にある全小束紙幣Ｔの束数および全小束紙幣Ｔの下部の全束厚みを記憶部２６から読み出す（ステップＳａ２）。そして、制御部２５は、今回のこの一の小束収納ドロア１２（ｂ）の開閉直後の、この一の小束トレイ４０に収納状態にある全小束紙幣Ｔの束数が開閉直前の束数に対し変化があったか否かを判定する（ステップＳａ３）。
【０１２０】
この一の小束トレイ４０について、束数に変化があった場合、制御部２５は、収納状態にある全小束紙幣Ｔの束数および全小束紙幣Ｔの下部の全束厚みを記憶部２６に更新記憶させる（ステップＳａ４）。つまり、制御部２５は、この一の小束収納ドロア１２（ｂ）の開閉前後で束数が変化した小束トレイ４０について、収納状態にある全小束紙幣Ｔの束数および全小束紙幣Ｔの下部の全束厚みを記憶部２６に更新記憶させる。
【０１２１】
そして、制御部２５は、束数に変化があったこの一の小束トレイ４０について、収納している小束紙幣Ｔが大束Ｏを構成するものであるか否かを、小束紙幣Ｔの束数と下部の全束厚みと上部の全束厚みとに基づいて、上記のようにして判断する束状態判断工程を行う（ステップＳａ５）。収納している小束紙幣Ｔが大束Ｏを構成するものである場合、制御部２５は、全束厚み検知フラグをオフする（ステップＳａ６）。他方で、収納している小束紙幣Ｔが大束Ｏを構成するものでない場合、全束厚み検知フラグをオンする（ステップＳａ７）。そして、この一の小束トレイ４０についての全束厚み変化判定工程を終了する。
【０１２２】
また、ステップＳａ３において、この一の小束トレイ４０について束数に変化がなかった場合、制御部２５は、全束厚み検知フラグがオンされているか否かを判定する（ステップＳａ８）。全束厚み検知フラグがオフされている場合、この一の小束トレイ４０についての全束厚み変化判定工程を終了する。これにより、制御部２５は、上記ステップＳａ５での束状態判断工程で、収納している小束紙幣Ｔが大束Ｏを構成するものであると判断すると、大帯ｔ１，ｔ２よって小束紙幣Ｔからの紙幣の抜き出しは規制されるため、ステップＳａ８において、ステップＳａ９以降に行われる小束紙幣Ｔに厚み異常があるか否かの判定をなしとして全束厚み変化判定工程を終了する。
【０１２３】
ステップＳａ８において、全束厚み検知フラグがオンされている場合、制御部２５は、この一の小束トレイ４０について、記憶部２６から読み出した、今回のこの一の小束収納ドロア１２（ｂ）の開閉直前の全小束紙幣Ｔの下部の図１０（Ａ）に示す全束厚みＬ０からの、今回のこの一の小束収納ドロア１２（ｂ）の開閉直後の全小束紙幣Ｔの下部の図１０（Ｂ）に示す全束厚みＬ１の変化量を算出する（ステップＳａ９）。これにより、制御部２５は、上記ステップＳａ５での束状態判断工程で、収納している小束紙幣Ｔが大束Ｏを構成するものでないと判断すると、ステップＳａ８において、小束紙幣Ｔに厚み異常があるか否かの判定を有りとしてステップＳａ９以降を実行する。よって、制御部２５は、収納している小束紙幣Ｔが大束Ｏを構成するものであるか否かの上記ステップＳａ５での束状態判断工程の判断結果に基づいて、小束紙幣Ｔに厚み異常があるか否かの判定の有無の設定を変更する。
【０１２４】
そして、制御部２５は、ステップＳａ９で算出した、この全束厚みＬ０から全束厚みＬ１への変化量が、その許容範囲である全束厚み変化量許容範囲内にあるか否かを判定する（ステップＳａ１０）。この全束厚みの変化量が、全束厚み変化量許容範囲内にあれば、この一の小束トレイ４０に収納されている小束紙幣Ｔに厚み異常はないと判定して、この一の小束トレイ４０についての全束厚み変化判定工程を終了する。ここでは、全束厚み変化量許容範囲を定める規定値を、束数に応じて異ならせている。例えば、束数が１束である場合は第１の規定値が使用され、束数が２〜３束の場合には第１の規定値とは異なる第２の規定値が使用され、束数が４〜６束の場合には第１，第２の規定値とは異なる第３の規定値が使用され、束数が７束以上の場合に第１〜第３の規定値とは異なる第４の規定値が使用される。また、新券の小束紙幣Ｔの場合の規定値と、流通券の小束紙幣Ｔの場合の規定値とを、異ならせている。例えば、新券の小束紙幣Ｔの場合に、束数に応じて新券用の第１〜第４の規定値を使用し、流通券の小束紙幣Ｔの場合も、束数に応じて流通券用の第１〜第４の規定値を使用する。好ましくは、第２〜第４の規定値は、第１の規定値に束数をかけた値より小さくなるように設定される。
【０１２５】
ステップＳａ１０において、全束厚みの変化量が、全束厚み変化量許容範囲内になければ、この一の小束トレイ４０に収納している小束紙幣Ｔに厚み異常があると判定して、表示部１７に、この一の小束トレイ４０の識別、これが配置されている小束収納ドロア１２（ｂ）の識別および小束紙幣Ｔの全束厚みの変化量に異常がある旨の情報を含む全束厚み変化量異常通知のガイダンス表示を表示させるとともに、音声発生部２０でアラーム音を発生させる（ステップＳａ１１）。
【０１２６】
つまり、制御部２５は、この一の小束収納ドロア１２（ｂ）の開閉前後で束数が変化しない小束トレイ４０について、開閉後に収納状態にある全小束紙幣Ｔの下部の全束厚みＬ１と、開閉前の記憶部２６に記憶されている全小束紙幣Ｔの下部の全束厚みＬ０とを比較し、図１０（Ａ）に示す開閉前の全束厚みＬ０よりも、図１０（Ｂ）に示すように開閉後の全束厚みＬ１が、所定値を超えて減少して、開閉前後の全束厚みの変化量が全束厚み変化量許容範囲内になくなると、開閉前後の全束厚みの変化量が全束厚み変化量許容範囲内にないことを示す全束厚み変化量異常通知を使用者に通知する。これにより、この一の小束トレイ４０に、紙幣が抜かれて厚みが薄くなった状態の小束紙幣Ｔがあることを、使用者に報知する。
【０１２７】
すなわち、制御部２５は、一の小束トレイ４０において、小束収納ドロア１２（ｂ）の開閉の前後で束数に変化がなく且つこの小束収納ドロア１２（ｂ）の開閉の前後での全小束紙幣Ｔの全束厚みの変化量が全束厚み変化量許容範囲内になければ、この一の小束トレイ４０に収納されている小束紙幣Ｔに厚み異常があると判定する。加えて、現金管理装置１０が上位機に接続されている場合、上位機にも、全束厚み変化量異常通知の内容を含むアラーム信号を出力する。さらに、全束厚み変化量異常通知の内容をジャーナルに記録するようにしても良い。
【０１２８】
ステップＳａ１１の後、制御部２５は、記憶部２６に記憶されている更新フラグがオンであるかオフであるかを判定する（ステップＳａ１２）。この更新フラグは、予めオンオフが設定されて記憶部２６に記憶されており、ステップＳａ１２において、更新フラグがオフに設定されていれば、制御部２５は、この一の小束トレイ４０についての全束厚み変化判定工程を終了する。ステップＳａ１２において、更新フラグがオンに設定されていれば、制御部２５は、この一の小束トレイ４０について、収納状態にある全小束紙幣Ｔの下部の全束厚みを記憶部２６に更新記憶させて（ステップＳａ１３）、この一の小束トレイ４０についての全束厚み変化判定工程を終了する。
【０１２９】
ここで、更新フラグがオンに設定されていれば、この一の小束トレイ４０について、小束収納ドロア１２（ｂ）の開閉直後の全小束紙幣Ｔの下部の全束厚みを記憶部２６に更新記憶する。このため、一の小束トレイ４０に収納されている小束紙幣Ｔをそのままの状態としても、この小束収納ドロア１２（ｂ）の開閉をもう一度行って、次の全束厚み変化判定工程を行えば、一の小束トレイ４０に収納されている小束紙幣Ｔの全束厚みの変化に異常がなくなり、この全束厚み変化判定工程において、表示部１７に、この一の小束トレイ４０の識別表示を含む全束厚み変化量異常通知のアラームを表示させたり、音声発生部２０でアラーム音を発生させたりすることはなくなる。つまり、更新フラグがオンに設定されていれば、一回は全束厚み変化量異常通知のアラームを発生させるが、小束収納ドロア１２（ｂ）の開閉をもう一度行えば、全束厚み変化量異常通知のアラームが発生しなくなる。その際に、現金管理装置１０が上位機に接続されていれば、上位機にも、小束収納ドロア１２（ｂ）の開閉をもう一度行った際のデータを含む信号を出力する。
【０１３０】
他方、更新フラグがオフに設定されていれば、この一の小束トレイ４０について、小束収納ドロア１２（ｂ）の開閉直後の全小束紙幣Ｔの下部の全束厚みを記憶部２６に更新記憶させない。このため、一の小束トレイ４０に収納されている小束紙幣Ｔをそのままの状態として、この小束収納ドロア１２（ｂ）の開閉をもう一度行っても、次の全束厚み変化判定工程においても、一の小束トレイ４０に収納されている小束紙幣Ｔの全束厚みの変化に異常があり、この全束厚み変化判定工程においても、表示部１７に、この一の小束トレイ４０の識別表示を含む全束厚み変化量異常通知のアラームを表示させるとともに、音声発生部２０でアラーム音を発生させることになる。その際に、現金管理装置１０が上位機に接続されていれば、上位機にも小束収納ドロア１２（ｂ）の開閉をもう一度行った際の全束厚み変化量異常通知の内容を含むアラーム信号を出力する。更新フラグがオフに設定されていれば、抜き取った紙幣を元に戻す等しない限り、全束厚み変化量異常通知のアラームを発生し続けることになるため、小束紙幣Ｔからの紙幣の抜き取り検知を厳格に行うことができる。
【０１３１】
制御部２５は、今回開閉された一の小束収納ドロア１２（ｂ）の全小束トレイ４０のそれぞれについて、上記の全束厚み変化判定工程を行うことになる。
【０１３２】
ここで、制御部２５は、記憶部２６に予め記憶されている全束厚み変化量許容範囲の設定を、保守モード等で行われる許容範囲設定工程において、操作表示部１５を介する操作者の操作により変更可能となっている。
【０１３３】
また、制御部２５は、小束紙幣Ｔに厚み異常があるか否かの全束厚み異常判定工程および全束厚み変化判定工程の有無の設定を、保守モード等で行われる判定有無設定工程において、操作表示部１５を介する操作者の操作により変更可能となっている。
【０１３４】
ここで、制御部２５は、上記した一の小束収納ドロア１２（ｂ）が、後端位置にある全閉状態から引き出しが開始された後、前端位置に位置する全開状態とならずに後端位置に戻ったことを検出した場合に、アラーム音を発生させずに、検出可能な範囲についてのみ上記と同様の処理を行うようにしても良い。すなわち、小束収納ドロア１２（ｂ）が、後端位置にある全閉状態から引き出しが開始された後、全開状態とならずに後退を開始したことを検出すると、制御部２５は、この小束収納ドロア１２（ｂ）をロックするロック機構２２の駆動を停止する。これにより、この小束収納ドロア１２（ｂ）が後端位置に閉庫されると、ロック機構２２がこの小束収納ドロア１２（ｂ）を機械的かつ自動的にロックする。そして、この一の小束収納ドロア１２（ｂ）の後退中、この小束収納ドロア１２（ｂ）の検出可能な範囲については、上記と同様にして、小束紙幣Ｔの数量検出データを束数検出工程にて取得し、個々の小束紙幣Ｔの金種検出データを取得する。数量検出データおよび金種検出データの取得後、制御部２５は、今回取得した、検出可能な範囲についての金種別の数量検出データと、前回の入出庫取引時に記憶部２６に記憶された、同じ範囲の金種別の数量検出データとから、現金が、操作キーボード１９に入力された種類入力データ、区別データおよび数量入力データにしたがって入出庫されたか否かを精査する。その際に、下部全束厚み検出工程、上部全束厚み検出工程、全束厚み異常判定工程および全束厚み変化判定工程は行わないか、検出可能な範囲についてのみ行う。
【０１３５】
なお、上記の一の入出庫取引にて入力された種類入力データに他の小束収納ドロア１２（ｂ）に収納されている小束紙幣Ｔの金種が含まれている場合、制御部２５は、上記した一の小束収納ドロア１２（ｂ）と同様の処理を他の小束収納ドロア１２（ｂ）に対しても行うことになる。
【０１３６】
また、制御部２５は、この一の入出庫取引にて入力された種類入力データに、一の棒金収納ドロア１２（ｃ）に収納されている棒金Ｂが含まれる場合、この一の棒金収納ドロア１２（ｃ）を対象ドロア１２として処理を行うことになり、その際に、この一の棒金収納ドロア１２（ｃ）が、前端位置に位置する全開状態になった後、この一の棒金収納ドロア１２（ｃ）の閉方向の移動開始を検出すると、制御部２５は、この一の棒金収納ドロア１２（ｃ）に対して設けられた全ての棒金セット検知センサ７６および全ての棒金検出ラインセンサ７７を駆動して、閉庫時の貨幣検出反射データの取り込みを開始させる。そして、この一の棒金収納ドロア１２（ｃ）が後端位置に閉庫されたことが検出されると、この一の棒金収納ドロア１２（ｃ）に対して設けられた全ての棒金セット検知センサ７６および全ての棒金検出ラインセンサ７７についての閉庫時の貨幣検出反射データから、この一の棒金収納ドロア１２（ｃ）の各棒金収納凹部５９に収納された棒金Ｂの数量検出データおよび個々の棒金Ｂの金種検出データを取得して、この一の棒金収納ドロア１２（ｃ）に対して、現金が、操作キーボード１９に入力された種類入力データ、区別データおよび数量入力データにしたがって入出庫されたか否かを精査する。
【０１３７】
なお、この一の入出庫取引にて入力された種類入力データに他の棒金収納ドロア１２（ｃ）に収納されている棒金Ｂの金種が含まれている場合、制御部２５は、上記した一の棒金収納ドロア１２（ｃ）と同様の処理を他の棒金収納ドロア１２（ｃ）に対しても行うことになる。
【０１３８】
最後に、制御部２５は、バラ貨幣収納ドロア１２（ａ）、全ての小束収納ドロア１２（ｂ）および全ての棒金収納ドロア１２（ｃ）のうち、この一の入出庫取引にて入力された種類入力データに含まれる貨幣を収納しているもの全てについて、正常に入出庫取引が終了したと判断すると、今回の一の入出庫取引が終了したと判断する。
【０１３９】
以上に述べた第１実施形態に係る現金管理装置１０およびこれを用いた紙幣管理方法によれば、小束収納ドロア１２（ｂ）が開閉されると、小束セット検知センサ６６、左側帯検出ラインセンサ６８、右側帯検出ラインセンサ６９、ロータリエンコーダ８８および制御部２５が、検出工程で、収納状態にある小束紙幣Ｔの厚みを検出することになり、制御部２５は、判定工程にて、この検出工程での検出結果に基づいて小束紙幣Ｔに厚み異常があるか否かを判定することになる。よって、小束紙幣Ｔの厚みに基づいて小束紙幣Ｔに厚み異常があるか否かを判定することができる。したがって、小束紙幣Ｔからの紙幣の抜き取り等を検知することができ、小束紙幣Ｔをさらに厳正に管理することができる。
【０１４０】
また、小束収納ドロア１２（ｂ）が開閉されると、小束セット検知センサ６６、左側帯検出ラインセンサ６８、右側帯検出ラインセンサ６９、ロータリエンコーダ８８および制御部２５が、検出工程で、収納状態にある小束紙幣Ｔの束数と、この束数分の小束紙幣Ｔの全束厚みとを検出することになり、制御部２５は、全束厚み異常判定工程にて、この束数分の全束厚みが、この束数に基づく全束厚み許容範囲内になければ、小束紙幣Ｔに厚み異常があると判定することになる。よって、小束紙幣Ｔの束数分の全束厚みに基づいて小束紙幣Ｔに厚み異常があるか否かを判定することができる。したがって、小束紙幣Ｔからの紙幣の抜き取り等を検知することができ、小束紙幣Ｔをさらに厳正に管理することができる。
【０１４１】
また、小束収納ドロア１２（ｂ）が開閉されると、小束セット検知センサ６６、左側帯検出ラインセンサ６８、右側帯検出ラインセンサ６９、ロータリエンコーダ８８および制御部２５が、検出工程で、収納状態にある小束紙幣Ｔの束数と、この束数分の小束紙幣Ｔの全束厚みとを検出することになり、制御部２５は、判定工程にて、この小束収納ドロア１２（ｂ）の開閉の前後で束数に変化がなく且つこの小束収納ドロア１２（ｂ）の開閉の前後での小束紙幣Ｔの全束厚みの変化量が全束厚み変化量許容範囲内になければ、小束紙幣Ｔに厚み異常があると判定することになる。よって、小束紙幣Ｔの束数分の全束厚みの、小束収納ドロア１２（ｂ）の開閉の前と後との変化に基づいて小束紙幣Ｔに厚み異常があるか否かを判定することができる。したがって、小束紙幣Ｔからの紙幣の抜き取り等を、より良好に検知することができ、小束紙幣Ｔをさらに厳正に管理することができる。
【０１４２】
また、操作表示部１５および制御部２５によって、許容範囲設定工程にて、全束厚み許容範囲および全束厚み変化量許容範囲の設定を変更することができる。
【０１４３】
また、操作表示部１５および制御部２５によって、判定有無設定工程にて、制御部２５による小束紙幣Ｔに厚み異常があるか否かの判定の有無の設定を変更することができるため、小束紙幣Ｔに厚み異常があるか否かの判定を行う設定としたり、小束紙幣Ｔに厚み異常があるか否かの判定を行わない設定としたりすることができる。
【０１４４】
また、制御部２５は、束状態判断工程で、小束紙幣Ｔが、所定束数の小束紙幣Ｔを大帯ｔ１，ｔ２で結束してなる大束Ｏを構成するものであるか否かを判断すると、この判断結果に基づいて、小束紙幣Ｔに厚み異常があるか否かの判定の有無の設定を変更する。これにより、小束紙幣Ｔが大束Ｏを構成するものであるか否かで小束紙幣Ｔに厚み異常があるか否かの判定の有無の設定を自動的に変更することができる。具体的には、小束紙幣Ｔが大束Ｏを構成するものであれば、紙幣の抜き取りの可能性が非常に低いため、小束紙幣Ｔに厚み異常があるか否かの判定を行わないようにし、小束紙幣Ｔが大束Ｏを構成するものでなければ、紙幣の抜き取りの可能性があるため、小束紙幣Ｔに厚み異常があるか否かの判定を行うようにする。
【０１４５】
また、小束収納ドロア１２（ｂ）には、現金管理装置本体１１に対する移動方向に厚み方向を沿わせて小束紙幣Ｔが収納されることになるため、検出工程では、小束セット検知センサ６６、左側帯検出ラインセンサ６８、右側帯検出ラインセンサ６９、ロータリエンコーダ８８および制御部２５が、小束収納ドロア１２（ｂ）の現金管理装置本体１１に対する移動を利用して小束紙幣Ｔの厚みを容易且つ正確に検出することができる。
【０１４６】
第１実施形態において、全束厚み異常判定工程および全束厚み変化判定工程のいずれか一方のみを行うようにしても良く、判定有無設定工程での選択設定に基づいて実行する判定工程を選択するようにしても良い。
【０１４７】
［第２実施形態］
本発明に係る紙葉類管理装置の第２実施形態としての現金管理装置を主に図１１，図１２を参照して第１実施形態との相違部分を中心に以下に説明する。第２実施形態では、制御部２５により制御される現金管理方法（紙葉類管理方法）が第１実施形態に対して主に相違している。
【０１４８】
第２実施形態において、制御部２５は、開庫状態にある一の小束収納ドロア１２（ｂ）に対し、小束紙幣Ｔを受け入れる受入処理および小束紙幣Ｔが取り出される取出処理が行われ、この一の小束収納ドロア１２（ｂ）が前端位置から後端位置に閉庫されたことが検出されると、第１の実施形態と同様にして、この一の小束収納ドロア１２（ｂ）の各束収納凹部４９に収納された小束紙幣Ｔについて、束数検出工程にて数量検出データを所得し、個々の小束紙幣Ｔの金種検出データを取得して、この一の小束収納ドロア１２（ｂ）に対して、現金が、操作キーボード１９に入力された種類入力データ、区別データおよび数量入力データにしたがって入出庫されたか否かを精査する。
【０１４９】
上記に加えて、この一の小束収納ドロア１２（ｂ）が全開状態から閉庫されると、制御部２５は、第１実施形態と同様、この一の小束収納ドロア１２（ｂ）の全小束トレイ４０のそれぞれについて、上記の束数検出工程に加えて、下部全束厚み検出工程および上部全束厚み検出工程を行う。
【０１５０】
さらに、この閉庫時に、制御部２５は、左側帯検出ラインセンサ６８および右側帯検出ラインセンサ６９の貨幣検出反射データから割り出される、全小束紙幣Ｔのそれぞれの厚みを検出する各束厚み検出工程を行う。各束厚み検出工程では、左側帯検出ラインセンサ６８および右側帯検出ラインセンサ６９のいずれかで同一の小帯ｔ０を連続的に検出している時間と、ロータリエンコーダ８８の開閉位相データとに基づいて、全小束紙幣Ｔのそれぞれの厚みを検出する。左側帯検出ラインセンサ６８および右側帯検出ラインセンサ６９のいずれかで同一の小帯ｔ０を連続的に検出している状態は、左側帯検出ラインセンサ６８および右側帯検出ラインセンサ６９の貨幣検出反射データの合計値が所定値よりも高い状態が連続している状態である。これに対し、小束紙幣Ｔと小束紙幣Ｔとの間位置と、小束紙幣Ｔの外側の空間とでは、左側帯検出ラインセンサ６８および右側帯検出ラインセンサ６９の貨幣検出反射データの合計値が所定値以下となる。
【０１５１】
具体的に、制御部２５は、一つの小帯ｔ０の、小束収納ドロア１２（ｂ）の移動方向における一端から他端までを左側帯検出ラインセンサ６８および右側帯検出ラインセンサ６９の貨幣検出反射データの合計値により検出している時間と、その間の小束収納ドロア１２（ｂ）の、ロータリエンコーダ８８の開閉位相データから求まる開閉速度とから、小束紙幣Ｔのそれぞれの厚み方向の小帯ｔ０の長さ、つまり一つの小束紙幣Ｔの厚みを検出する。このような検出を、この一の小束収納ドロア１２（ｂ）に対して設けられた左側帯検出ラインセンサ６８および右側帯検出ラインセンサ６９の左右二組の貨幣検出反射データとロータリエンコーダ８８の開閉位相データとに基づいて、全ての小束トレイ４０に収納された全ての小束紙幣Ｔに対して行う。
【０１５２】
すなわち、制御部２５、左側帯検出ラインセンサ６８、右側帯検出ラインセンサ６９およびロータリエンコーダ８８は、小束収納ドロア１２（ｂ）が開閉されると、収納状態にある各小束紙幣Ｔのそれぞれについて、厚みを検出することになり、その際に、小束紙幣Ｔの厚みを、小束紙幣Ｔの厚み方向の小帯ｔ０の長さで検出することになる。
【０１５３】
制御部２５は、一の小束収納ドロア１２（ｂ）の全小束トレイ４０のそれぞれについて、束数検出工程、下部全束厚み検出工程および上部全束厚み検出工程の検出結果に基づいて、収納している小束紙幣Ｔが大束Ｏを構成するものであるか否かを判定する束状態判断工程を行う。収納している小束紙幣Ｔが大束Ｏを構成するものではない全ての小束トレイ４０について、各束厚み検出工程の検出結果に基づいて、小束紙幣Ｔのそれぞれに異常があるか否かを、全小束紙幣Ｔについて判定する各束厚み異常判定工程を行う。なお、これにかえて、第１の実施形態に記載した全束厚み異常判定工程を行っても良い。
【０１５４】
まず、制御部２５は、小束紙幣Ｔの一束の厚みの許容範囲である一束厚み許容範囲を記憶部２６から読み出す。記憶部２６には、新券の小束紙幣Ｔの場合の一束厚み許容範囲と、これとは異なる流通券の小束紙幣Ｔの場合の一束厚み許容範囲とが記憶されている。よって、左側帯検出ラインセンサ６８および右側帯検出ラインセンサ６９による紙幣部分の貨幣検出反射データから真券の小束紙幣Ｔと判別された小束紙幣Ｔに対しては新券の小束紙幣Ｔ用の一束厚み許容範囲と比較し、流通券の小束紙幣Ｔと判別された小束紙幣Ｔに対しては流通券の小束紙幣Ｔ用の一束厚み許容範囲と比較する。ここで、記憶部２６に予め記憶されている一束厚み許容範囲の設定を、保守モード等で行われる許容範囲設定工程において操作表示部１５を介して操作者が変更可能となっている。言い換えれば、制御部２５は、保守モード等で行われる許容範囲設定工程において、操作表示部１５を介して一束厚み許容範囲の設定を変更する。また、小束トレイ４０の手前側と奥側（例えば、最も手前側の１束目と最も奥側の最終束）に収納された小束紙幣Ｔの一束厚み許容範囲と、それ以外の中間部に収納された小束紙幣Ｔの一束厚み許容範囲とを異ならせてもよい。例えば、両側の小束紙幣Ｔの一束厚み許容範囲よりも、中間部の小束紙幣Ｔの一束厚み許容範囲を大きくする。
【０１５５】
そして、制御部２５は、この一の小束収納ドロア１２（ｂ）の全小束トレイ４０の全小束紙幣Ｔのそれぞれについて、小束紙幣Ｔの厚み方向の小帯ｔ０の長さ、つまり小束紙幣Ｔの厚みが、一束厚み許容範囲内になければ、小束紙幣Ｔに厚み異常があると判定する一方、小束紙幣Ｔの厚みが、一束厚み許容範囲内にあれば、小束紙幣Ｔに厚み異常がないと判定する各束厚み異常判定工程を行う。言い換えれば、各束厚み異常判定工程では、小帯ｔ０の、これが巻かれた小束紙幣Ｔの厚み方向の長さが一束厚み許容範囲内になければ、小束紙幣Ｔに厚み異常があると判定する。
【０１５６】
この各束厚み異常判定工程において、いずれかの小束紙幣Ｔに厚み異常があると判定すると、制御部２５は、表示部１７に、異常がある小束紙幣Ｔを収納している小束トレイ４０の識別および小束収納ドロア１２（ｂ）の識別と、異常がある小束紙幣Ｔの位置情報を含む一束厚み異常通知のガイダンス表示を表示させるとともに、音声発生部２０でアラーム音を発生させる。これにより、紙幣が抜かれて厚みが薄くなった状態の小束紙幣Ｔが小束収納ドロア１２（ｂ）に投入されたことを報知する。加えて、現金管理装置１０が上位機に接続されている場合、上位機にも、一束厚み異常通知の内容を含むアラーム信号を出力する。
【０１５７】
また、制御部２５は、一の小束収納ドロア１２（ｂ）が全開状態から閉庫されると、束数検出工程、下部全束厚み検出工程、上部全束厚み検出工程および各束厚み検出工程の検出結果に基づいて、小束紙幣Ｔに厚み異常があるか否かを判定する各束厚み変化判定工程を、全小束トレイ４０のそれぞれについて行う。
【０１５８】
各束厚み変化判定工程で、制御部２５は、一の小束収納ドロア１２（ｂ）の閉庫直後の、この一の小束収納ドロア１２（ｂ）の一の小束トレイ４０についての、全小束紙幣Ｔの束数、全小束紙幣Ｔの下部の全束厚み、全小束紙幣Ｔの上部の全束厚みおよび全小束紙幣Ｔのそれぞれの厚みを取得する（ステップＳｂ１）。次に、制御部２５は、この一の小束収納ドロア１２（ｂ）の今回の開閉直前の、この一の小束トレイ４０についての収納状態にある全小束紙幣Ｔの束数および全小束紙幣Ｔのそれぞれの厚みを記憶部２６から読み出す（ステップＳｂ２）。そして、制御部２５は、今回のこの一の小束収納ドロア１２（ｂ）の開閉直後の、この一の小束トレイ４０に収納状態にある全小束紙幣Ｔの束数が、開閉直前の束数に対し変化があったか否かを判定する（ステップＳｂ３）。
【０１５９】
この一の小束トレイ４０について、束数に変化があった場合、制御部２５は、収納状態にある全小束紙幣Ｔの束数および全小束紙幣Ｔのそれぞれの厚み（例えば、一の小束トレイ４０の手前から順に、第１の小束紙幣の厚み：Ｌ１１（ｍｍ）、第２の小束紙幣の厚みＬ１２（ｍｍ）、…等）を記憶部２６に更新記憶させる（ステップＳｂ４）。つまり、制御部２５は、この一の小束収納ドロア１２（ｂ）の開閉前後で束数が変化した小束トレイ４０について、収納状態にある全小束紙幣Ｔの束数および全小束紙幣Ｔのそれぞれの厚みを記憶部２６に更新記憶させる。
【０１６０】
そして、制御部２５は、束数に変化があったこの一の小束トレイ４０について、収納している小束紙幣Ｔが大束Ｏを構成するものであるか否かを、小束紙幣Ｔの束数と下部の全束厚みと上部の全束厚みとに基づいて、第１実施形態と同様にして判断する束状態判断工程を行う（ステップＳｂ５）。収納している小束紙幣Ｔが大束Ｏを構成するものである場合、制御部２５は、各束厚み検知フラグをオフする（ステップＳｂ６）。他方で、収納している小束紙幣Ｔが大束Ｏを構成するものでない場合、各束厚み検知フラグをオンする（ステップＳｂ７）。そして、この一の小束トレイ４０についての各束厚み変化判定工程を終了する。
【０１６１】
また、ステップＳｂ３において、この一の小束トレイ４０について束数に変化がなかった場合、制御部２５は、各束厚み検知フラグがオンされているか否かを判定する（ステップＳｂ８）。各束厚み検知フラグがオフされている場合、この一の小束トレイ４０についての各束厚み変化判定工程を終了する。これにより、制御部２５は、上記ステップＳｂ５での束状態判断工程で、収納している小束紙幣Ｔが大束Ｏを構成するものであると判断すると、大帯ｔ１，ｔ２よって小束紙幣Ｔからの紙幣の抜き出しは規制されるため、ステップＳｂ８において、ステップＳｂ９以降で行われる、小束紙幣Ｔに厚み異常があるか否かの判定をなしとして各束厚み変化判定工程を終了する。
【０１６２】
ステップＳｂ８において、各束厚み検知フラグがオンされている場合、制御部２５は、この一の小束トレイ４０について、今回のこの一の小束収納ドロア１２（ｂ）の開閉直後の小束紙幣Ｔのそれぞれの図１２（Ｂ）に示す厚みＬ２１，Ｌ２２，…のそれぞれについて、記憶部２６から読み出したこの一の小束収納ドロア１２（ｂ）の開閉直前の全小束紙幣Ｔの図１２（Ａ）に示す厚みＬ１１，Ｌ１２，…のうちの同じ並び順の小束紙幣Ｔの厚みに対する変化量を算出する（ステップＳｂ９）。これにより、制御部２５は、上記ステップＳｂ５の束状態判断工程で、収納している小束紙幣Ｔが大束Ｏを構成するものでないと判断すると、ステップＳｂ８において、小束紙幣Ｔに厚み異常があるか否かの判定を有りとしてステップＳｂ９以降を実行する。よって、制御部２５は、収納している小束紙幣Ｔが大束Ｏを構成するものであるか否かの上記ステップＳｂ５での束状態判断工程の判断結果に基づいて、小束紙幣Ｔに厚み異常があるか否かの判定の有無の設定を変更する。
【０１６３】
そして、制御部２５は、ステップＳａ９で算出したこの一の小束トレイ４０に収納された全小束紙幣Ｔのそれぞれの厚みの変化量（例えば、厚みＬ１１から厚みＬ２１への変化量、厚みＬ１２から厚みＬ２２への変化量、厚みＬ１３から厚みＬ２３への変化量等）が、一束厚み変化量許容範囲内にあるか否かを判定する（ステップＳｂ１０）。この一の小束トレイ４０に収納された全小束紙幣Ｔのそれぞれの厚みの変化量が、全て、一束厚み変化量許容範囲内にあれば、この一の小束トレイ４０に収納されている小束紙幣Ｔに厚み異常はないと判定して、この一の小束トレイ４０についての一束厚み変化量許容範囲を終了する。一束厚み変化量許容範囲は、新券の小束紙幣Ｔの場合の規定値と、流通券の小束紙幣Ｔの場合の規定値とを、異ならせてもよい。
【０１６４】
ステップＳｂ１０において、この一の小束トレイ４０に収納された全小束紙幣Ｔのそれぞれの厚みの変化量のいずれかが、例えば図１２（Ａ）の厚みＬ１３に対する図１２（Ｂ）の厚みＬ２３のように大きく、一束厚み変化量許容範囲内になければ、この一の小束トレイ４０に収納されている小束紙幣Ｔに厚み異常があると判定して、表示部１７に、異常がある小束紙幣Ｔを収納している小束トレイ４０の識別および小束収納ドロア１２（ｂ）の識別と、異常がある小束紙幣Ｔの位置情報（例えば、トレイ内の前から３番目）とを含む一束厚み変化量異常通知のガイダンス表示を表示させるとともに、音声発生部２０でアラーム音を発生させる（ステップＳｂ１１）。
【０１６５】
つまり、制御部２５は、この一の小束収納ドロア１２（ｂ）の開閉前後で束数が変化しない小束トレイ４０について、開閉後に収納状態にある全小束紙幣Ｔのそれぞれの厚みを、開閉前に記憶部２６に記憶されている、位置が対応する小束紙幣Ｔの厚みと比較し、開閉前後で厚みが所定値以上減少して、開閉前後の一束厚みの変化量が一束厚み変化量許容範囲内になくなると、開閉前後の一束厚みの変化量が一束厚み変化量許容範囲内にないことを示す一束厚み変化量異常通知を使用者に通知する。これにより、この一の小束トレイ４０に、紙幣が抜かれて厚みが薄くなった状態の小束紙幣Ｔがあることを報知する。
【０１６６】
すなわち、制御部２５は、一の小束トレイ４０において、小束収納ドロア１２（ｂ）の開閉の前後で束数に変化がなく且つこの小束収納ドロア１２（ｂ）の開閉の前後での全小束紙幣Ｔのそれぞれの厚み方向の小帯ｔ０の長さの変化、つまり全小束紙幣Ｔのそれぞれの厚みの変化が、いずれか一つでも一束厚み変化量許容範囲内になければ、厚みの変化が一束厚み変化量許容範囲内にない小束紙幣Ｔに厚み異常があると判定する。加えて、現金管理装置１０が上位機に接続されている場合、上位機にも、一束厚み変化量異常通知の内容を含むアラーム信号を出力する。さらに、一束厚み変化量異常通知の内容をジャーナルに記録するようにしても良い。
【０１６７】
ステップＳｂ１１の後、制御部２５は、記憶部２６に記憶されている更新フラグがオンであるかオフであるかを判定する（ステップＳｂ１２）。この更新フラグは、予めオンオフが設定されて記憶部２６に記憶されており、ステップＳｂ１２において、更新フラグがオフに設定されていれば、制御部２５は、この一の小束トレイ４０についての各束厚み変化判定工程を終了する。ステップＳｂ１２において、更新フラグがオンに設定されていれば、制御部２５は、この一の小束トレイ４０について、収納状態にある全小束紙幣Ｔのそれぞれの厚みを記憶部２６に更新記憶させて（ステップＳｂ１３）、この一の小束トレイ４０についての各束厚み変化判定工程を終了する。
【０１６８】
ここで、更新フラグがオンに設定されていれば、この一の小束トレイ４０について、小束収納ドロア１２（ｂ）の開閉直後の全小束紙幣Ｔのそれぞれの厚みを記憶部２６に更新記憶するため、一の小束トレイ４０に収納されている小束紙幣Ｔをそのままの状態としても、この小束収納ドロア１２（ｂ）の開閉をもう一度行って、次の各束厚み変化判定工程を行えば、一の小束トレイ４０に収納されている全小束紙幣Ｔのそれぞれの厚みの変化に異常がなくなり、この各束厚み変化判定工程において、表示部１７に、この一の小束トレイ４０の識別表示を含む一束厚み変化量異常通知のアラームを表示させたり、音声発生部２０でアラーム音を発生させたりすることはなくなる。つまり、更新フラグがオンに設定されていれば、一回は一束厚み変化量異常通知のアラームを発生させるが、小束収納ドロア１２（ｂ）の開閉をもう一度行えば、一束厚み変化量異常通知のアラームが発生しなくなる。加えて、現金管理装置１０が上位機に接続されている場合、上位機にも、小束収納ドロア１２（ｂ）の開閉をもう一度行った際のデータを含むアラーム信号を出力する。
【０１６９】
他方、更新フラグがオフに設定されていれば、この一の小束トレイ４０について、小束収納ドロア１２（ｂ）の開閉直後の全小束紙幣Ｔのそれぞれの厚みを記憶部２６に更新記憶させないため、一の小束トレイ４０に収納されている小束紙幣Ｔをそのままの状態として、この小束収納ドロア１２（ｂ）の開閉をもう一度行っても、次の各束厚み変化判定工程において、一の小束トレイ４０に収納されている小束紙幣Ｔの一束厚みの変化に異常があり、この各束厚み変化判定工程においても、表示部１７に、この一の小束トレイ４０の識別表示を含む一束厚み変化量異常通知のアラームを表示させるとともに、音声発生部２０でアラーム音を発生させることになる。その際に、現金管理装置１０が上位機に接続されていれば、上位機にも小束収納ドロア１２（ｂ）の開閉をもう一度行った際の一束厚み変化量異常通知の内容を含むアラーム信号を出力する。更新フラグがオフに設定されていれば、抜き取った紙幣を元に戻す等しない限り、一束厚み変化量異常通知のアラームを発生し続けることになるため、小束紙幣Ｔからの紙幣の抜き取り検知を厳格に行うことができる。
【０１７０】
制御部２５は、今回開閉された一の小束収納ドロア１２（ｂ）の全小束トレイ４０のそれぞれについて、上記の各束厚み変化判定工程を行うことになる。
【０１７１】
制御部２５は、記憶部２６に予め記憶されている一束厚み変化量許容範囲の設定を、保守モード等で行われる許容範囲設定工程において、操作表示部１５を介する操作者の操作により変更可能となっている。
【０１７２】
制御部２５は、小束紙幣Ｔに厚み異常があるか否かの各束厚み異常判定工程および各束厚み変化判定工程の有無の設定を、保守モード等で行われる判定有無設定工程において、操作表示部１５を介する操作者の操作により変更可能となっている。
【０１７３】
ここで、制御部２５は、上記した一の小束収納ドロア１２（ｂ）が、後端位置にある全閉状態から引き出しが開始された後、前端位置に位置する全開状態とならずに後端位置に戻ったことを検出した場合に、アラーム音を発生させずに、検出可能な範囲についてのみ上記と同様の処理を行うようにしても良い。その際に、下部全束厚み検出工程、上部全束厚み検出工程、各束厚み異常判定工程および各束厚み変化判定工程は行わないか、検出可能な範囲についてのみ行う。
【０１７４】
以上に述べた第２実施形態に係る現金管理装置１０およびこれを用いた紙幣管理方法によれば、小束収納ドロア１２（ｂ）が開閉されると、左側帯検出ラインセンサ６８、右側帯検出ラインセンサ６９、ロータリエンコーダ８８および制御部２５が、検出工程で、収納状態にある全小束紙幣Ｔのそれぞれの厚みを、この厚み方向における小帯ｔ０の長さで検出することになり、制御部２５は、判定工程にて、収納状態にある全小束紙幣Ｔのそれぞれの厚み方向の小帯ｔ０の長さを一束厚み許容範囲内にあるか判定し、一束厚み許容範囲内にないものは小束紙幣Ｔに厚み異常があると判定することになる。つまり、小束紙幣Ｔのそれぞれの厚みに相当する、この厚み方向における小帯ｔ０のそれぞれの長さに基づいて、小束紙幣Ｔに厚み異常があるか否かを判定することができる。したがって、小束紙幣Ｔからの紙幣の抜き取り等を検知することができ、小束紙幣Ｔをさらに厳正に管理することができる。特に、小束紙幣Ｔが流通券である場合に、第２実施形態は、第１実施形態よりも流通券の状態の相違による影響が小さくなり、第１実施形態よりもさらに厳正に小束紙幣Ｔを管理することができる。
【０１７５】
また、小束収納ドロア１２（ｂ）が開閉されると、小束セット検知センサ６６、左側帯検出ラインセンサ６８、右側帯検出ラインセンサ６９、ロータリエンコーダ８８および制御部２５が、検出工程で、収納状態にある小束紙幣Ｔの束数と、小束紙幣Ｔの厚みとを検出することになり、制御部２５が、判定工程にて、この小束収納ドロア１２（ｂ）の開閉の前後で束数に変化がなく且つこの小束収納ドロア１２（ｂ）の開閉の前後での小束紙幣Ｔの厚みの変化量が一束厚み変化量許容範囲内になければ、小束紙幣Ｔに厚み異常があると判定することになる。よって、小束紙幣Ｔのそれぞれの厚みの、小束収納ドロア１２（ｂ）の開閉の前と後との変化に基づいて小束紙幣Ｔに厚み異常があるか否かを判定することができる。したがって、小束紙幣Ｔからの紙幣の抜き取り等を、一層良好に検知することができ、小束紙幣Ｔをさらに厳正に管理することができる。
【０１７６】
また、操作表示部１５および制御部２５によって、許容範囲設定工程にて、一束厚み許容範囲および一束厚み変化量許容範囲の設定を変更することができる。
【０１７７】
第２実施形態において、各束厚み異常判定工程および各束厚み変化判定工程のいずれか一方のみを行うようにしても良く、判定有無設定工程での選択設定に基づいて実行する判定工程を選択するようにしても良い。
【０１７８】
また、第１実施形態と第２実施形態とを組み合わせて、全束厚み異常判定工程、全束厚み変化判定工程、各束厚み異常判定工程および各束厚み変化判定工程を適宜選択的に行うようにしても良い。その場合、例えば、収納している小束紙幣Ｔの束数が少ない（例えば３束以下）小束トレイ４０については、全束厚み異常判定工程および全束厚み変化判定工程の少なくともいずれか一方を行い、収納している小束紙幣Ｔの束数がそれよりも多い（例えば４束以上）小束トレイ４０については、各束厚み異常判定工程および各束厚み変化判定工程の少なくともいずれか一方を行う。あるいは、収納している小束紙幣Ｔが全て新券の小束紙幣Ｔの小束トレイ４０については、全束厚み異常判定工程および全束厚み変化判定工程の少なくともいずれか一方を行い、収納している小束紙幣Ｔの束数が全て流通券の小束紙幣Ｔの小束トレイ４０については、全束厚み異常判定工程、全束厚み変化判定工程、各束厚み異常判定工程および各束厚み変化判定工程を全て行うようにしても良い。
【符号の説明】
【０１７９】
１０  現金管理装置（紙葉類管理装置）
１１  現金管理装置本体（本体）
１２（ｂ）  小束収納ドロア（開閉部）
１５  操作表示部（許容範囲設定手段，判定有無設定手段）
２５  制御部（検出手段，判定手段，束状態判断手段，許容範囲設定手段，判定有無設定手段）
６６  小束セット検知センサ（検出手段）
６８  左側帯検出ラインセンサ（検出手段）
６９  右側帯検出ラインセンサ（検出手段）
Ｏ  大束
Ｔ  小束紙幣
ｔ０  小帯（帯状体）
ｔ１，ｔ２  大帯（帯状体）
【図１】
2018032212.tif 000003
【図２】
2018032212.tif 000004
【図３】
2018032212.tif 000005
【図４】
2018032212.tif 000006
【図５】
2018032212.tif 000007
【図６】
2018032212.tif 000008
【図７】
2018032212.tif 000009
【図８】
2018032212.tif 000010
【図９】
2018032212.tif 000011
【図１０】
2018032212.tif 000012
【図１１】
2018032212.tif 000013
【図１２】
2018032212.tif 000014